(57)【要約】本明細書に提供されるものは、１匹または複数の動物からの糞便および尿を収集および分離するための動物排泄物収集動物含有ケージ（１００）である。また、本明細書に提供されるものは、使い捨てであり、単回使用のための動物排泄物収集動物含有ケージである。また、本明細書に提供されるものは、ラック（８００）内に配置される動物排泄物収集動物含有ケージ（１００）である。また、本明細書に提供されるものは、動物排泄物収集動物含有ケージ（１００）を使用および製造する方法である。
2019533479.tif 000002
【特許請求の範囲】
【請求項１】
動物排泄物収集動物含有ケージであって、
ケージ蓋と、
前記ケージ蓋に添着されるケージ基部であって、
そのケージ基部は、１つ以上の側面と、前記１つ以上の側面に接続されるケージ基部底部と、格子部材とを備え、
そのケージ基部底部は、開口部を備え、
その格子部材は、前記ケージ基部底部開口部にわたって配置される部材を備える、ケージ基部と、
前記ケージに接続される動物排泄物収集器部材であって、
その収集器部材は、近位端と、遠位端と、近位開口部と、遠位開口部と、内面および外面を備える１つ以上の側壁とを備え、
その１つ以上の側壁の少なくとも一部およびそのうちの少なくとも１つは、前記収集器部材の前記近位開口部から前記遠位開口部までテーパ状になり、
前記収集器部材のその近位開口部は、前記ケージ基部底部開口部と整合される、収集器部材と、
前記収集器部材に接続される動物排泄物分離器部材であって、
その分離器部材は、糞便から尿を分離し、
その分離器部材は、近位開口部と、遠位開口部と、前部と、側面と、後部と、底部と、前記側面に接続される近位シュート部材と、前記側面に接続される遠位シュート部材と、前記底部に接続される第１の容器コネクタと、前記底部に接続される第２の容器コネクタとを備え、
その近位シュート部材は、近位末端と、前記分離器部材の前記後部と関連する遠位末端と、前面とを備え、
その遠位シュート部材は、近位末端と、遠位末端と、前面と、後面とを備え、
その遠位シュート部材は、前記近位シュート部材に接続されず、前記後部に接続されず、
前記遠位シュート部材のその近位末端は、前記近位シュート部材の前記遠位末端から垂直にオフセットされ、水平にオフセットされ、
その第１の容器コネクタは、前記遠位シュート部材と事実上接続し、前記分離器部材の前記底部において終端する第１のボア面を備え、
その第２の容器コネクタは、前記近位シュート部材と事実上接続し、前記分離器部材の前記底部において終端する第２のボア面を備え、
前記第１の容器コネクタは、前記第２の容器コネクタの前方にある、分離器部材と
を備える、含有ケージ。
【請求項２】
前記格子部材は、ワイヤバーを備える、請求項１に記載の含有ケージ。
【請求項３】
前記格子部材は、床格子部材である、請求項２に記載の含有ケージ。
【請求項４】
前記格子部材は、前記ケージ基部底部からほぼ前記ケージ基部の前記１つ以上の側面の高さに及ぶワイヤバー格子側部材を備える、請求項１または２に記載の含有ケージ。
【請求項５】
前記格子部材は、前記ケージ基部底部から前記ケージ基部の前記１つ以上の側面の高さの一部に及ぶワイヤバー格子側部材を備える、請求項１または２に記載の含有ケージ。
【請求項６】
前記格子側部材は、前記ケージ基部底部からほぼ前記ケージ基部の４つの側面の高さに及び、前記格子とともに、動物閉じ込め部材を形成する、請求項４に記載の含有ケージ。
【請求項７】
前記床格子部材は、前記ケージ基部底部から前記ケージ基部の３つの側面の高さの一部に及ぶ側格子部材と、前記ケージ基部底部からほぼ前記ケージ基部の前記側面の高さに及ぶ後部格子部材とを備え、前記側格子部材、後部格子部材、および床格子部材は、動物閉じ込め部材を形成する、請求項３に記載の含有ケージ。
【請求項８】
前記ケージ内に含有される動物は、前記動物閉じ込め部材によって、前記ケージ基部底部開口部を備える前記ケージの区分に閉じ込められる、請求項６または７に記載の含有ケージ。
【請求項９】
付加的ワイヤバー部材を備える、請求項２−８のいずれか１項に記載の含有ケージ。
【請求項１０】
前記付加的ワイヤバー部材は、餌ワイヤバー部材である、請求項９に記載の含有ケージ。
【請求項１１】
前記付加的ワイヤバー部材は、水ワイヤバー部材である、請求項９に記載の含有ケージ。
【請求項１２】
前記付加的ワイヤバー部材は、餌ワイヤバー部材および水ワイヤバー部材である、請求項９に記載の含有ケージ。
【請求項１３】
前記餌ワイヤバー部材および水ワイヤバー部材は、取り付けられ、餌および水保持器を形成する、請求項１２に記載の含有ケージ。
【請求項１４】
前記餌および水保持器は、動物閉じ込め部材に取り付けられる、請求項１３に記載の含有ケージ。
【請求項１５】
越流レセプタクルを備える、請求項１３または１４に記載の含有ケージ。
【請求項１６】
前記餌ワイヤバー部材の下に越流レセプタクルを備え、前記水ワイヤバー部材の下に越流レセプタクルを備える、請求項１５に記載の含有ケージ。
【請求項１７】
基部の２つの平行な側面は、標準的ケージの基部の２つの同等の平行な側面を上回る長さを有する、請求項１−１６のいずれか１項に記載の含有ケージ。
【請求項１８】
前記動物排泄物収集器部材は、前記ケージに接続される、請求項１−１７のいずれか１項に記載の含有ケージ。
【請求項１９】
前記動物排泄物収集器部材は、ケージ底部の内部と接触する側フランジを備える、請求項１−１７のいずれか１項に記載の含有ケージ。
【請求項２０】
前記動物排泄物収集器部材は、前記ケージ基部底部開口部を囲繞するケージ底部床の内部部分と接触する肋材および支持タブを備える、請求項１−１７のいずれか１項に記載の含有ケージ。
【請求項２１】
前記肋材および支持タブは、前記ケージ底部床上の床棚部またはシェルフと接触する、請求項２０に記載の含有ケージ。
【請求項２２】
前記動物排泄物収集器部材は、前記ケージ基部底部の一体部品である、請求項１−１７のいずれか１項に記載の含有ケージ。
【請求項２３】
前記動物排泄物収集器部材の前記近位開口部、前記遠位開口部、および前記側壁のうちの１つ以上のものは、錐台として配置される、請求項１−２２のいずれか１項に記載の含有ケージ。
【請求項２４】
前記収集器部材の１つ以上の側壁は、水平軸に対して４０〜９０度の角度でテーパ状になる、請求項１−２３のいずれか１項に記載の含有ケージ。
【請求項２５】
前記側壁は、約５５度の角度でテーパ状になる、請求項２４に記載の含有ケージ。
【請求項２６】
前記収集器部材内面は、コーティングを備える、請求項１−２５のいずれか１項に記載の含有ケージ。
【請求項２７】
前記コーティングは、疎水性コーティングである、請求項２６に記載の含有ケージ。
【請求項２８】
前記収集器部材と接触する挿入部材を備え、前記挿入部材は、近位開口部と、遠位開口部と、内面および外面を備える１つ以上の側壁とを備え、その１つ以上の側壁の少なくとも一部およびそのうちの少なくとも１つは、前記挿入部材の前記近位開口部から前記遠位開口部までテーパ状になる、請求項１−２７のいずれか１項に記載の含有ケージ。
【請求項２９】
前記挿入部材の前記１つ以上の側壁のうちの少なくとも１つは、前記収集器部材の前記１つ以上の側壁よりも長く、前記挿入部材の近位領域における前記挿入部材の前記１つ以上の側壁のその外面の一部は、前記収集器部材の前記１つ以上の側壁の前記内面と接触し、前記挿入部材の遠位領域における前記挿入部材の前記１つ以上の側壁のその外面の一部は、前記収集器部材の前記１つ以上の側壁の前記内面と接触しない、請求項２８に記載の含有ケージ。
【請求項３０】
前記挿入部材のその遠位開口部は、前記近位シュート部材に近接して配置され、前記近位シュート部材の前記前面と整合される、請求項２８または２９に記載の含有ケージ。
【請求項３１】
前記近位シュート部材の前記前面との整合は、前記近位シュート領域の前記前面上の着地区域領域との整合である、請求項３０に記載の含有ケージ。
【請求項３２】
前記挿入部材の前記遠位端の前記近位シュート部材前面への近接は、約０．０１インチ〜約３．０インチである、請求項３０または３１に記載の含有ケージ。
【請求項３３】
前記挿入部材の前記遠位端の前記近位シュート部材前面への近接は、約０．１３インチである、請求項３２に記載の含有ケージ。
【請求項３４】
前記挿入部材は、紙である、請求項２８−３３のいずれか１項に記載の含有ケージ。
【請求項３５】
前記紙は、蝋紙である、請求項３４に記載の含有ケージ。
【請求項３６】
前記挿入部材は、化学的に処理される、請求項２８−３５のいずれか１項に記載の含有ケージ。
【請求項３７】
前記化学処理は、着目分子と結合または反応する試薬を前記挿入部材に付着させるステップを含む、請求項３６に記載の含有ケージ。
【請求項３８】
前記収集器部材は、円錐形である遠位端を有し、円錐形収集器部材である、請求項１−２７のいずれか１項に記載の含有ケージ。
【請求項３９】
前記動物排泄物円錐形収集器部材は、前記ケージに接続される、請求項３８に記載の含有ケージ。
【請求項４０】
前記動物排泄物円錐形収集器部材は、前記ケージ基部底部の一体部品である、請求項３８に記載の含有ケージ。
【請求項４１】
前記円錐形収集器部材の前記遠位開口部は、前記近位シュート部材前面に近接して配置され、前記近位シュート部材の前記前面と整合される、請求項３８−４０のいずれか１項に記載の含有ケージ。
【請求項４２】
前記近位シュート部材の前記前面との整合は、前記近位シュート領域の前記前面上の着地区域領域との整合である、請求項４１に記載の含有ケージ。
【請求項４３】
前記円錐形収集器部材の前記遠位端の前記近位シュート部材前面への近接は、約０．０１インチ〜約３．０インチである、請求項４１または４２に記載の含有ケージ。
【請求項４４】
前記円錐形収集器部材の前記遠位端の前記近位シュート部材前面への近接は、約０．１３インチである、請求項４３に記載の含有ケージ。
【請求項４５】
前記収集器部材は、前記遠位端において収集器延在部材を備える、請求項１−３７のいずれか１項に記載の含有ケージ。
【請求項４６】
前記分離器部材は、前記収集器延在部材に接続される、請求項４５に記載の含有ケージ。
【請求項４７】
前記分離器部材は、前記収集器延在部材の内部に接続される、請求項４５に記載の含有ケージ。
【請求項４８】
前記分離器部材は、前記円錐形収集器部材に接続される、請求項３８−４４のいずれか１項に記載の含有ケージ。
【請求項４９】
近位シュート部材は、前記近位末端から前記遠位末端に向かって軸方向に延在する第１および第２の傾斜面を備え、その遠位シュートは、前記近位末端から前記遠位末端に向かって軸方向に延在する第３の傾斜面を備え、その第１および／または第２の傾斜面は、前記第３の傾斜面の角度と同一または異なる角度にある、請求項１−４８のいずれか１項に記載の含有ケージ。
【請求項５０】
前記第１の傾斜面、前記第２の傾斜面、および前記第３の傾斜面は、約３５度〜約６５度または約３５度〜約７５度の角度にある、請求項４９に記載の含有ケージ。
【請求項５１】
前記第１の傾斜面は、約４２度の角度にある、請求項４９または５０に記載の含有ケージ。
【請求項５２】
前記第２の傾斜面は、約５５度の角度にある、請求項４９または５０に記載の含有ケージ。
【請求項５３】
前記第３の傾斜面は、約４１度の角度にある、請求項４９または５０に記載の含有ケージ。
【請求項５４】
前記第３の傾斜面は、約３９．３度の角度にある、請求項４９または５０に記載の含有ケージ。
【請求項５５】
前記近位シュート部材の前記前面は、湾曲面を備える、請求項１−５４のいずれか１項に記載の含有ケージ。
【請求項５６】
近位シュート部材は、前記近位末端から前記遠位末端に向かって軸方向に延在する第１の傾斜面を備え、その遠位シュートは、前記近位末端から前記遠位末端に向かって軸方向に延在する第２の傾斜面を備え、その第１の傾斜面は、前記第２の傾斜面の角度と同一または異なる角度にある、請求項１−４８のいずれか１項に記載の含有ケージ。
【請求項５７】
前記第１の傾斜面および前記第２の傾斜面は、約３５度〜約６５度または約３５度〜約７５度の角度にある、請求項５６に記載の含有ケージ。
【請求項５８】
前記第１の傾斜面は、約５５度の角度にある、請求項５６または５７に記載の含有ケージ。
【請求項５９】
前記第２の傾斜面は、約３９．３度の角度にある、請求項５６−５８のいずれか１項に記載の含有ケージ。
【請求項６０】
前記近位シュート部材の前記前面は、湾曲面を備える、請求項５６−５９のいずれか１項に記載の含有ケージ。
【請求項６１】
前記遠位シュート部材の前記近位末端は、前記近位シュート部材の前記遠位末端から約０．２５インチ〜約１．００インチ垂直にオフセットされる、請求項１−６０のいずれか１項に記載の含有ケージ。
【請求項６２】
前記遠位シュート部材の前記近位末端は、前記近位シュート部材の前記遠位末端から約０．６２インチ垂直にオフセットされる、請求項６１に記載の含有ケージ。
【請求項６３】
前記遠位シュート部材の前記近位末端は、前記近位シュート部材の前記遠位末端から水平にオフセットされ、約０．１５インチ〜約０．２５インチまたは約０．１０インチ〜約０．２５インチの間隙をもたらす、請求項１−６２のいずれか１項に記載の含有ケージ。
【請求項６４】
前記間隙は、約０．２０インチである、請求項６３に記載の含有ケージ。
【請求項６５】
前記遠位シュートは、前記分離器部材の側面のそれぞれの前記前面および内面に接続される側壁を備える、請求項１−６４のいずれか１項に記載の含有ケージ。
【請求項６６】
前記近位シュート部材および前記遠位シュート部材は、化学的に処理される表面を備える、請求項１−６５のいずれか１項に記載の含有ケージ。
【請求項６７】
前記近位シュートの遠位末端は、前記近位シュートと遠位シュートとの間に位置付けられる前記分離器部材の内部後壁面と事実上接続する、請求項１−６６のいずれか１項に記載の含有ケージ。
【請求項６８】
前記内部後壁面は、尿の流動を促進するように構成される、請求項６７に記載の含有ケージ。
【請求項６９】
前記分離器部材は、閉鎖され、前記コネクタ部材延在部に接続される付加的壁部材を備える、請求項１−６８のいずれか１項に記載の含有ケージ。
【請求項７０】
前記分離器部材は、キャップを備える閉鎖ユニットであり、前記分離器部材は、前記コネクタ部材延在部の内部に取り付けられる、請求項１−６８のいずれか１項に記載の含有ケージ。
【請求項７１】
前記分離器部材は、分離器部材延在部材を備え、前記分離器部材延在部材は、前記コネクタ部材延在部の内部に取り付けられる、請求項１−７０のいずれか１項に記載の含有ケージ。
【請求項７２】
第１の容器が、前記第１の容器コネクタに解放可能に取り付けられ、第２の容器が、前記第２の容器コネクタに解放可能に取り付けられる、請求項１−７１のいずれか１項に記載の含有ケージ。
【請求項７３】
前記第２の容器コネクタは、漏斗フランジと、漏斗開口とを備える、請求項１−７２のいずれか１項に記載の含有ケージ。
【請求項７４】
前記第１の容器は、糞便の収集のためのものであり、前記第２の容器は、尿の収集のためのものである、請求項７２または７３に記載の含有ケージ。
【請求項７５】
前記第１の容器および前記第２の容器は、プラスチック管を備える、請求項７２−７４のいずれか１項に記載の含有ケージ。
【請求項７６】
前記含有ケージは、使い捨てである、請求項１−７５のいずれか１項に記載の含有ケージ。
【請求項７７】
前記含有ケージは、単回使用のためのものである、請求項７６に記載の含有ケージ。
【請求項７８】
前記ケージは、ラック内に配置される、請求項１−７７のいずれか１項に記載の含有ケージ。
【請求項７９】
前記ラックは、ケージ搭載アセンブリを備え、前記ケージは、前記ケージ搭載アセンブリと係合される、請求項７８に記載の含有ケージ。
【請求項８０】
前記ケージは、ケージ突出部を備え、前記ラックは、ケージコネクタアセンブリを備え、各ケージ突出部は、ケージコネクタアセンブリと係合される、請求項７９に記載の含有ケージ。
【請求項８１】
前記ケージ突出部は、オリフィスを有していない、請求項８０に記載の含有ケージ。
【請求項８２】
前記ケージ突出部は、オリフィスを有する、請求項８０に記載の含有ケージ。
【請求項８３】
前記ラックは、正の空気圧および／または負の空気圧を前記ケージに提供する、請求項７８−８０および８２のいずれか１項に記載の含有ケージ。
【請求項８４】
前記ラックは、正の空気圧および／または負の空気圧を前記ケージに提供しない、請求項７８−８１のいずれか１項に記載の含有ケージ。
【請求項８５】
動物格納のための標準的ケージが、含有ケージを備える前記ラック内に配置される、請求項７８−８４のいずれか１項に記載の含有ケージ。
【請求項８６】
前記ケージ蓋は、フィルタ部材を備える、請求項１−８５のいずれか１項に記載の含有ケージ。
【請求項８７】
前記ラックは、正の空気圧を前記ケージに提供する、請求項８３に記載の含有ケージ。
【請求項８８】
前記ラックは、負の空気圧を前記ケージに提供する、請求項８３に記載の含有ケージ。
【請求項８９】
前記ケージは、ＢＳＬ  ２＋施設内にある、請求項８９に記載の含有ケージ。
【請求項９０】
前記含有ケージは、ラック内にない、請求項１−７７のいずれか１項に記載の含有ケージ。
【請求項９１】
前記含有ケージは、スタンドを備える、請求項９０に記載の含有ケージ。
【請求項９２】
入れ子動物排泄物収集動物含有ケージ基部のセット。
【請求項９３】
前記基部は、収集器部材に取り付けられる、請求項９２に記載の入れ子動物排泄物収集動物含有ケージ基部のセット。
【請求項９４】
前記基部は、円錐形収集器部材に取り付けられる、請求項９２に記載の入れ子動物排泄物収集動物含有ケージ基部のセット。
【請求項９５】
入れ子動物排泄物収集動物含有ケージカバーのセット。
【請求項９６】
入れ子動物排泄物収集動物含有ケージ収集器部材のセット。
【請求項９７】
入れ子動物排泄物収集動物含有ケージ円錐形収集器部材のセット。
【請求項９８】
入れ子動物排泄物収集動物含有ケージ挿入部材のセット。
【請求項９９】
入れ子動物排泄物収集動物含有ケージ閉じ込め部材のセット。
【請求項１００】
入れ子動物排泄物収集動物含有ケージ餌および水保持器部材のセット。
【請求項１０１】
入れ子動物排泄物収集動物含有ケージ餌および水越流レセプタクルのセット。
【請求項１０２】
１匹または複数の動物からの尿および／または糞便を収集および分離するための方法であって、
請求項１−９１のいずれか１項に記載の動物排泄物収集動物含有ケージ内に１匹または複数の動物を設置するステップと、
第１の容器内で尿を取得し、第２の容器内で糞便を取得するステップと
を含む、方法。
【請求項１０３】
請求項１−７７のいずれか１項に記載の動物排泄物収集動物含有ケージを組み立てるための方法であって、
収集器部材をケージ基部の内部に、部分的にケージ基部底部開口部を通して挿入するステップであって、それによって、前記収集器部材の肋材および支持タブが、前記ケージ基部底部の床棚部上に静置する、ステップと、
分離器部材を前記収集器部材近位開口部を通して挿入するステップであって、それによって、前記分離器延在部材の前記取付フランジは、前記収集器延在部材の前記支持フランジ上に静置する、ステップと、
挿入部材を前記収集器部材の内面上に設置するステップと、
動物閉じ込め部材および餌および水保持器を前記ケージ基部に取り付け、随意に、前記餌および水保持器の下に餌および水越流レセプタクル容器を挿入するステップと
を含む、方法。
【発明の詳細な説明】
【技術分野】
【０００１】
（関連特許出願）
本願は、２０１７年１０月４日に出願され、ＭＥＴＡＢＯＬＩＣ  ＣＡＧＩＮＧと題され、発明者としてＤｅｅ  ＣｏｎｇｅｒおよびＦｒａｎｃｅｓｃａ  ＭｃＧｕｆｆｉｅが指定され、代理人管理番号ＩＮＯ−１０１２−ＰＶ２が割り当てられた、米国仮特許出願第６２／５６７，９６９号の利益を主張するものである。本特許出願はまた、２０１６年１０月２８日に出願され、ＭＥＴＡＢＯＬＩＣ  ＣＡＧＩＮＧと題され、発明者としてＤｅｅ  ＣｏｎｇｅｒおよびＦｒａｎｃｅｓｃａ  ＭｃＧｕｆｆｉｅが指定され、代理人管理番号ＩＮＯ−１０１２−ＰＶが割り当てられた、米国仮出願第６２／４１４，６１１号の利益を主張するものである。上記特許出願は、その全体が参照により本明細書中に援用される。
【０００２】
本技術は、部分的に、畜産に関し、部分的に、実験室動物によって排泄される糞便および尿を収集および分離するための機器に関する。
【背景技術】
【０００３】
多くの科学的研究は、実験室動物からの代謝排泄物の収集および分離を要求する。典型的には、個々の動物は、動物によって排泄される糞便および尿を収集および分離するための手段に取り付けられるチャンバ内に設置される（チャンバ、収集および分離手段は、多くの場合、「代謝ケージ」と称される）。代謝ケージは、薬物治療の効果、腎機能研究、尿タンパク質排泄、毎日の餌および水摂取、尿排泄体積、および標準的または介入代謝機能の評価を含む、種々の研究のために有用である。
【発明の概要】
【課題を解決するための手段】
【０００４】
ある側面において提供されるものは、（ｉ）ケージ蓋と、（ｉｉ）ケージ蓋に添着される、ケージ基部であって、ケージ基部は、１つ以上の側面と、１つ以上の側面に接続されるケージ基部底部と、格子とを備え、ケージ基部底部は、開口部を備え、格子は、ケージ基部底部開口部にわたって配置される部材を備える、ケージ基部と、（ｉｉｉ）ケージに接続される、動物排泄物収集器部材であって、収集器部材は、近位端と、遠位端と、近位開口部と、遠位開口部と、内面および外面を備える１つ以上の側壁とを備え、その１つ以上の側壁の少なくとも一部およびそのうちの少なくとも１つは、収集器部材の近位開口部から遠位開口部までテーパ状になり、収集器部材の近位開口部は、ケージ基部底部開口部と整合される、収集器部材と、（ｉｖ）収集器部材に接続される、動物排泄物分離器部材であって、その分離器部材は、糞便から尿を分離し、近位開口部と、遠位開口部と、前部と、側面と、後部と、底部と、側面に接続される近位シュート部材と、側面に接続される遠位シュート部材と、底部に接続される第１の容器コネクタと、底部に接続される第２の容器コネクタとを備え、近位シュート部材は、近位末端と、分離器部材の後部と関連する遠位末端と、前面とを備え、遠位シュート部材は、近位末端と、遠位末端と、前面と、後面とを備え、遠位シュート部材は、近位シュート部材に接続されず、後部に接続されず、遠位シュート部材の近位末端は、近位シュート部材の遠位末端から垂直にオフセットされ、水平にオフセットされ、第１の容器コネクタは、遠位シュート部材と事実上接続し、分離器部材の底部において終端する第１のボア面を備え、第２の容器コネクタは、近位シュート部材と事実上接続し、分離器部材の底部において終端する第２のボア面を備え、第１の容器コネクタは、第２の容器コネクタの前方にある、分離器部材とを含む、動物排泄物収集動物含有ケージ（代謝ケージ）である。
【０００５】
また、ある側面において提供されるものは、収集器部材と接触する挿入部材を含む、動物排泄物収集動物含有ケージである。
【０００６】
また、いくつかの側面において提供されるものは、挿入部材を伴わない円錐形収集器部材を含む、動物排泄物収集動物含有ケージである。
【０００７】
また、ある側面において提供されるものは、糞便の収集のための第１の容器と、尿の収集のための第２の容器とを含む、動物排泄物収集動物含有ケージである。
【０００８】
ある側面において提供されるものは、使い捨てである動物排泄物収集動物含有ケージである。
【０００９】
また、ある側面において提供されるものは、ラック内に配置される動物排泄物収集動物含有ケージである。
【００１０】
また、ある側面において提供されるものは、ラック内に配置されない動物排泄物収集動物含有ケージである。
【００１１】
また、ある側面において提供されるものは、尿および糞便を収集および分離するために動物排泄物収集動物含有ケージを使用する方法である。
【００１２】
また、ある側面において提供されるものは、動物排泄物収集動物含有ケージを組み立てる方法である。
【００１３】
また、ある側面において提供されるものは、動物排泄物収集動物含有ケージの構成要素を入れ子にする方法である。
【００１４】
ある実施形態が、以下の説明、実施例、請求項、および図面においてさらに説明される。
【図面の簡単な説明】
【００１５】
図面は、本技術のある実施形態を図示し、限定的ではない。例証を明確かつ容易にするために、図面は、縮尺通りに作製されず、いくつかの事例では、種々の側面は、特定の実施形態の理解を促進するために、誇張または拡大して示され得る。接線は、破線として現れる。
【００１６】
【図１】図１は、動物排泄物収集動物含有ケージの側面図である。
【図２】図２は、収集管が取り付けられる動物排泄物収集動物含有ケージの側面図である。
【図３】図３Ａおよび３Ｂは、ケージ底部の底面図である。図３Ａは、グリッドを伴う。図３Ｂは、グリッドを伴わない。
【図４】図４は、ケージ蓋の上面図である。
【図５】図５は、ラックと係合される動物排泄物収集動物含有ケージを示す、分離器の中心を通した軸方向配向を伴う断面図である。
【図６】図６Ａおよび６Ｂは、蓋を伴わない動物排泄物収集動物含有ケージの図である。図６Ａは、斜視図である。図６Ｂは、上面図である。
【図７】図７Ａ、７Ｂ、および７Ｃは、収集器部材、挿入部材、および分離器部材の図である。図７Ａは、収集器部材、挿入部材、および分離器部材を示す、分解上面／側面配向斜視図である。図７Ｂは、挿入部材、収集器部材、および分離器部材の上面斜視分解図である。図７Ｃは、分離器部材とともに、収集器部材、収集器部材内の挿入部材を示す、上面／側面斜視図である。
【図８】図８は、円錐形収集器部材および分離器部材の図である。
【図９】図９Ａおよび９Ｂは、収集器部材アセンブリの上面図である。図９Ａは、円錐形収集器部材の図であり、図８に示される構造に対応する。円錐形収集器は、ケージ基部内に統合される、または別個であり、ケージ基部に取り付けられ得る。図９Ｂは、挿入部材を伴う収集器部材の図であり、図７Ａ−Ｃに示される構造に対応する。
【図１０】図１０Ａおよび１０Ｂは、収集器部材アセンブリの底面図である。図１０Ａは、ケージ底部と統合される円錐形収集器部材を示す。図１０Ｂは、ケージ底部に取り付けられる収集器部材および挿入部材である。
【図１１】図１１Ａ−Ｄは、分離器部材の図である。図１１Ａは、後面図である。図１１Ｂは、側面図である。図１１Ｃは、正面図である。図１１Ｄは、図１１ＣのＤ−Ｄの断面図である。
【図１２】図１２Ａおよび１２Ｂは、分離器部材の図である。図１２Ａは、上面図である。図１２Ｂは、底面図である。
【図１３】図１３Ａおよび１３Ｂは、分離器部材の図である。図１３Ａは、正面図である。図１３Ｂは、図１３ＡのＢ−Ｂの断面図である。
【図１４】図１４Ａおよび１４Ｂは、分離器部材の図である。図１４Ａは、底面斜視図である。図１４Ｂは、上面斜視図である。
【図１５】図１５Ａおよび１５Ｂは、収集器部材アセンブリに取り付けられる分離器部材を示す、分離器部材の中心を通した軸方向配向を伴う断面図である。図１５Ａは、円錐形収集器部材に取り付けられる分離器部材の図である。図１５Ｂは、挿入部材を伴う収集器部材に取り付けられる分離器部材の図である。
【図１６】図１６は、閉鎖構成を示す、分離器の中心を通した軸方向配向を伴う断面図である。
【図１７】図１７は、ラックと係合される動物排泄物収集動物含有ケージの図である。
【図１８】図１８は、ラックと係合される動物排泄物収集動物含有ケージおよび標準的ケージの図である。
【図１９】図１９は、動物排泄物収集動物含有ケージの代替実施形態１０００の側面図である。
【図２０】図２０は、収集管が取り付けられる動物排泄物収集動物含有ケージの代替実施形態１０００の側面図である。
【図２１】図２１Ａおよび２１Ｂは、ケージ底部の底面図である。図２１Ａは、グリッドを伴う。図２１Ｂは、床格子部材を伴わない。
【図２２】図２２は、ケージ蓋の上面図である。
【図２３】図２３は、ラックと係合される動物排泄物収集動物含有ケージの代替実施形態１０００を示す、分離器の中心を通した軸方向配向を伴う断面図である。
【図２４】図２４Ａおよび２４Ｂは、蓋を伴わない動物排泄物収集動物含有ケージの図である。図２４Ａは、斜視図である。図２４Ｂは、上面図である。
【図２５】図２５Ａ、２５Ｂ、および２５Ｃは、収集器部材、挿入部材、および分離器部材の図である。図２５Ａは、収集器部材、挿入部材、および分離器部材を示す、分解上面／側面配向斜視図である。図２５Ｂは、収集器部材、挿入部材、および分離器部材の上面斜視分解図である。図２５Ｃは、分離器部材とともに、収集器部材、収集器部材内の挿入部材を示す、上面／側面斜視図である。
【図２６】図２６は、円錐形収集器部材および分離器部材の図である。
【図２７】図２７Ａおよび２７Ｂは、収集器部材アセンブリの上面図である。図２７Ａは、円錐形収集器部材の図であり、図２６に示される構造に対応する。図２７Ｂは、挿入部材を伴う収集器部材の図であり、図２５Ａ−Ｃに示される構造に対応する。
【図２８】図２８Ａおよび２８Ｂは、収集器部材アセンブリの底面図である。図２８Ａは、ケージ底部に取り付けられる円錐形収集器部材を示す。図２８Ｂは、ケージ底部に取り付けられる挿入部材を伴う収集器部材である。
【図２９】図２９Ａ−Ｄは、分離器部材の図である。図２９Ａは、後面図である。図２９Ｂは、側面図である。図２９Ｃは、正面図である。図２９Ｄは、図２９ＣのＤ−Ｄの断面図である。
【図３０】図３０Ａおよび３０Ｂは、分離器部材の図である。図３０Ａは、上面図である。図３０Ｂは、底面図である。
【図３１】図３１Ａおよび３１Ｂは、分離器部材の図である。図３１Ａは、正面図である。図３１Ｂは、図３１ＡのＢ−Ｂの断面図である。
【図３２】図３２Ａおよび３２Ｂは、分離器部材の図である。図３２Ａは、底面斜視図である。図３２Ｂは、上面斜視図である。
【図３３】図３３Ａおよび３３Ｂは、収集器部材アセンブリに取り付けられる分離器部材を示す、分離器部材の中心を通した軸方向配向を伴う断面図である。図３３Ａは、円錐形収集器部材に取り付けられる分離器部材の図である。図３３Ｂは、挿入部材を伴う収集器部材に取り付けられる分離器部材の図である。
【図３４】図３４は、挿入部材を伴う収集器部材に取り付けられる分離器部材の中心を通した軸方向配向を伴う断面図である。
【図３５】図３５Ａおよび３５Ｂは、餌および水越流レセプタクルの図である。図３５Ａは、上面斜視図である。図３５Ｂは、上面図である。
【図３６】図３６Ａおよび３６Ｂは、動物閉じ込め部材および餌および水保持器の図である。図３６Ａは、上面斜視図である。図３６Ｂは、上面図である。
【図３７】図３７Ａおよび３７Ｂは、動物閉じ込め部材の図である。図３７Ａは、上面斜視図である。図３７Ｂは、上面図である。
【図３８】図３８Ａおよび３８Ｂは、餌および水保持器の図である。図３８Ａは、上面斜視図である。図３８Ｂは、上面図である。
【図３９】図３９Ａおよび３９Ｂは、収集器部材およびケージ基部の図である。図３９Ａは、収集器部材およびケージ基部を示す、分解上面／側面配向斜視図である。図３９Ｂは、収集器部材およびケージ基部をともに示す、上面／側面斜視図である。
【図４０】図４０は、動物排泄物収集動物含有ケージスタンドおよびケージの斜視図である。図面において参照されるある要素の一覧が、以下の表において参照のために提供される。
【表１−１】
2019533479.tif 000003
【表１−２】
2019533479.tif 000004
【表１−３】
2019533479.tif 000005
【表１−４】
2019533479.tif 000006
【表１−５】
2019533479.tif 000007
【表１−６】
2019533479.tif 000008
【発明を実施するための形態】
【００１７】
提供されるものは、動物排泄物収集動物含有ケージ（例えば、図１の１００）である。ある実施形態では、ケージは、ケージ蓋（例えば、１１０）と、ケージ基部（例えば、１２０）と、動物排泄物収集器部材（例えば、２００）と、動物排泄物分離器部材（例えば、３００）とを備える。図１−図１８は、動物排泄物収集動物含有ケージの実施形態１００を図示する。
【００１８】
また、提供されるものは、動物排泄物収集動物含有ケージ（例えば、図１９の１０００）である。ある実施形態では、ケージは、ケージ蓋（例えば、１１００）と、ケージ基部（例えば、１２００）と、動物排泄物収集器部材（例えば、２０００）と、動物排泄物分離器部材（例えば、３０００）とを備える。
【００１９】
図１９−図３９Ｂは、動物排泄物収集動物含有ケージの代替実施形態１０００の非限定的実施例を図示する。
【００２０】
実施形態１００および１０００において同一である特徴、例えば、ケージ蓋（例えば、１１０、１１００）およびケージ基部（例えば、１２０、１２００）は、実施形態１００に関して議論されるが、実施形態１０００にも同様に適用される。
【００２１】
ある側面では、動物排泄物収集動物含有ケージは、単一の動物を含有することができる。ある側面では、動物排泄物収集動物含有ケージは、１匹を上回る動物を含有することができる。
（ケージ基部および蓋）
【００２２】
ある実施形態では、ケージ基部（例えば、図１の１２０、図１９の１２００）は、１つ以上の側面（例えば、図１の１３０、図２４Ａの１３００）と、１つ以上の側面に接続されるケージ基部底部（例えば、図１の１４０、図１９の１４００）とを備える。ケージ基部は、多くの場合、４つの壁（側面）と、底部（例えば、略長方形、略正方形、略パイ形）とを含む。ある実施形態では、壁および／または底部は、独立して、約０．０１インチ〜約０．０９インチの最大厚さ（例えば、約０．０１インチ〜約０．０３インチの最大厚さ、約０．０１インチ〜約０．０４インチの最大厚さ、約０．０１インチ〜約０．０５インチの最大厚さ、約０．０１、０．０２、０．０３、０．０４、０．０５、０．０６、０．０７、０．０８、０．０９インチの最大厚さ）を有する。
【００２３】
ケージ基部は、時として、ケージ蓋（例えば、図１の１１０、図１９の１１００）との組み合わせにある。蓋は、多くの場合、ケージ基部に取り付けられてもよく、蓋は、基部から容易に取外可能であってもよい。いくつかの実施形態では、ケージ蓋の構成要素は、約０．０１インチ〜約０．０９インチの最大厚さ（例えば、約０．０１インチ〜約０．０３インチの最大厚さ、約０．０１インチ〜約０．０４インチの最大厚さ、約０．０１インチ〜約０．０５インチの最大厚さ、約０．０１、０．０２、０．０３、０．０４、０．０５、０．０６、０．０７、０．０８、０．０９インチの最大厚さ）を有する。いくつかの実施形態では、ケージ蓋は、吸気のためのケージ突出部（例えば、図１の９１０、図１９の９１００）と、排気のためのケージ突出部（例えば、図１の９２０、図１９の９２００）とを備える。いくつかの実施形態では、ケージ蓋は、フィルタ部材（例えば、図１および４の９３０、図１９および２２の９３００）を備える。
【００２４】
ある実施形態では、ケージ突出部は、吸気および／または排気のためのオリフィスを有しておらず、ケージ突出部は、ラックへの動物排泄物収集動物含有ケージの取付のみのために利用される。ある実施形態では、ケージ突出部は、吸気および／または排気のためのオリフィス（例えば、図２２の９２５０）を有し、ケージ突出部は、動物排泄物収集動物含有ケージのラック通気システムとの統合およびラックへの動物排泄物収集動物含有ケージの取付の両方のために利用される。
【００２５】
ある実施形態では、動物排泄物収集動物含有ケージは、ケージラックと係合され得るが、糞便および尿の収集および分離のために設計されない標準的サイズのケージよりも長い長さを有することができる。
【００２６】
ある実施形態では、動物排泄物収集動物含有ケージの基部の２つの平行な側面は、標準的ケージの基部の２つの同等の平行な側面を上回る長さを有する。ある実施形態では、動物排泄物収集動物含有ケージの蓋の２つの平行な側面は、標準的ケージの蓋の２つの同等の平行な側面を上回る長さを有する。
【００２７】
ある実施形態では、ケージは、その糞便および尿が後続研究のために収集および分離される動物を含む。ケージは、ケージ内に含有され得る任意の動物を含むことができ、動物は、時として、実験室動物または動物施設内に含有される動物である。含有される動物は、時として、遺伝子導入、免疫不全、近親交配である、１つ以上の異種移植片を含有する、および／または１つ以上の機能遺伝子が欠如する（ノックアウト動物）。動物は、時として、例えば、齧歯動物、マウス（例えば、ヌードマウスまたは重症複合免疫不全（ＳＣＩＤ）マウス）、ラット、ハムスタ、アレチネズミ、モルモット、チンチラ、またはウサギから選定される。いくつかの実施形態では、動物は、実質的に健康である。いくつかの実施形態では、動物は、罹患または感染（例えば、病原体、例えば、ウイルス、寄生虫、真菌、細菌に感染）しており、いくつかの実施形態では、動物は、伝染性（例えば、含有ケージラックまたはケージシステム内の他の動物に感染させることが可能）であってもよい。動物は、１つ以上の実験物質（例えば、薬物、細胞、細菌、ウイルス、化学物質、または化合物）を含有してもよい。ケージ内に含有される動物は、限定ではないが、繁殖、生産（例えば、抗体、ハイブリドーマ、組織、または細胞生産）、および研究（例えば、実験（例えば、癌、疾患、糖尿病、毒性、および薬物研究））を含む、種々の様式で利用されてもよい。
【００２８】
ある実施形態では、ケージ底部は、開口部（例えば、図３の１５０、図２１Ｂおよび３９Ａの１５００）を有する。開口部は、ケージに取り付けられる尿および糞便の収集および分離のための他の構成要素（すなわち、動物排泄物収集器部材、動物排泄物分離器部材、および容器）が、ケージがラックと係合されるときに適応され得る限り、ケージ底部の任意の区分内に位置することができる。いくつかの実施形態では、ケージ基部底部開口部は、ラックと係合しないケージの区分内に位置する。開口部は、任意のサイズであり得る。ある実施形態では、開口部は、ケージ基部底部の表面積の４分の１、２分の１、または４分の３を占有する。いくつかの実施形態では、開口部は、ケージ基部底部の表面積の少なくとも２分の１を占有する。いくつかの実施形態では、開口部は、ケージ底部の縁まで延在せず、ケージ底部は、ケージ壁に遷移し、床棚部またはシェルフ（例えば、図３９Ａの１５５０）をもたらす。
【００２９】
いくつかの側面では、格子部材が、底部開口部にわたって配置される（例えば、図３の１６０、図２１Ａ、２４Ａ、２４Ｂ、および３７Ａの１６００）。格子の間隙または区分は、ケージ内の特定のサイズの動物を留保および支持するために十分であり、また、後続収集および分離のための格子を通した固体および液体動物排泄物の実質的に全ての通過を可能にする任意のサイズであり得る。格子は、任意の好適な材料から構築されてもよい。格子を構築するために使用される材料の非限定実施例は、金属およびプラスチックを含む。ある実施形態では、格子は、ワイヤメッシュまたはワイヤバーから作製される。ある実施形態では、格子は、格子が尿および糞便を留保しないように防止するための材料を用いて処理される。
【００３０】
ある実施形態では、ケージの内部は、ケージ内の動物をケージ基部底部開口部を覆う面積に閉じ込めるために、格子から垂直に延在する１つ以上の格子側部材（例えば、図５および６の１７０）を含む。いくつかの実施形態では、格子側部材は、ケージ基部底部から最大でほぼケージの側面（ケージ壁）の高さまで延在する。格子側部材は、動物を含有するように機能し得る任意の好適な材料から作製されることができ、多くの場合、格子と同一の材料、例えば、ワイヤバーから作製される。ある実施形態では、１つまたは複数の格子側部材は、格子と連続的である。いくつかの実施形態では、格子側部材は、ケージ基部底部からほぼケージ基部の４つの側面の高さに及び、格子とともに、ケージ内に含有される動物の移動をケージ基部底部開口部を備えるケージの区分に制限する動物閉じ込め部材を形成する。いくつかの実施形態では、動物による他のケージ構成要素、例えば、給餌トレイおよび水瓶へのアクセスが、可能にされるが、付加的ワイヤバー部材（例えば、図６の１９０）または他の構成要素によって制限される。
【００３１】
ある実施形態では、格子側部材は、ケージの側面の全高未満、例えば、側面の高さの半分、側面の高さの４分の１、またはそれを下回るものまで延在する。
【００３２】
いくつかの実施形態では、床格子部材（例えば、図２１Ａ、２４Ａ、２４Ｂ、３６Ａ、３６Ｂ、３７Ａ、および３７Ｂの１６００）が、ケージ基部の底部開口部にわたって配置される。ある実施形態では、床格子部材は、ケージ基部の内部に位置付けられ、収集器部材内に挿入される挿入部材に接触する、収集器部材のリム（例えば、図２５Ａおよび２５Ｂの２９２０）上に静置する。いくつかの実施形態では、床格子部材は、床格子部材の縁からケージ基部の３つの側面上のケージ基部側面の高さの一部に及ぶ側格子部材（図２４Ａ、３６Ａ、および３７Ａの１７００）と、ケージ基部側面に接触する床格子部材の縁からほぼケージ基部の側面の高さに及ぶ後部格子部材（例えば、図２４Ａ、３６Ａ、および３７Ａの１６５０）とを備える。床格子部材、側格子部材、および後部格子部材はともに、動物閉じ込め部材（例えば、図２４Ａ、３７Ａ、および３７Ｂの１８００）を形成する。いくつかの実施形態では、ケージ基部の内部の動物閉じ込め部材は、ケージ基部の内部に位置付けられ、収集器部材内に挿入される挿入部材に接触する、収集器部材のリム（例えば、図２５Ａおよび２５Ｂの２９２０）上に静置する。いくつかの実施形態では、ケージ内に含有される動物は、動物閉じ込め部材によってケージ基部底部開口部を備えるケージの区分に閉じ込められる。いくつかの実施形態では、後部格子部材は、シッパー管開口（例えば、図２４Ａ、３６Ａ、および３７Ａの１７３０）を有することができる。ある実施形態では、格子は、ワイヤメッシュまたはワイヤバー（床ワイヤバー部材、側ワイヤバー部材、および後部ワイヤバー部材）から作製される。
【００３３】
ある実施形態では、動物閉じ込め部材と別個の構造であるが、それに接触する付加的格子またはワイヤバー部材が存在し得る。いくつかの実施形態では、付加的ワイヤバー部材は、動物による餌および水へのアクセスを、動物が閉じ込められるケージの区分の限定された面積（ケージ基部底部開口部を備えるケージの区分）に制限する、組み合わせられた餌および水保持器（例えば、図２４Ａ、３６Ａ、３８Ａ、および３８Ｂの１９１０）である。組み合わせられた餌および水保持器（１９１０）は、餌区分（例えば、図２４Ｂ、３６Ａの１９１５）と、水瓶（１７１０）を保持し得る水区分（例えば、図２４Ｂ、３６Ａ、および３８Ａの１９２０）とを有することができる。いくつかの実施形態では、水区分は、ケージの動物閉じ込め区分内の動物が水にアクセスすることを可能にするために、シッパー管開口（１７３０）内に位置付けられ得るシッパー管（例えば、図２３の１７２０）に接続し得る水瓶開口（例えば、図２４Ａ、３６Ｂ、３８Ａ、および３８Ｂの１７４０）を有する。いくつかの実施形態では、組み合わせられた餌および水保持器（１９１０）は、組み合わせられた餌および水保持器（１９１０）がケージ基部に取り付けられるように、ケージ基部のリム内の陥凹（例えば、図２１Ａ、２１Ｂ、３９Ａ、および３９Ｂの１５２５）の中に挿入され得る、ワイヤバーフック（例えば、図２４Ａ、２４Ｂ、３６Ａ、３６Ｂ、３８Ａ、および３８Ｂの１９５０）を有することができる。ある実施形態では、組み合わせられた餌および水保持器（１９１０）は、動物閉じ込め部材が、閉じ込め部材の後部格子部材の最上面および側面によって組み合わせられた餌および水保持器に取り付けられるように、動物閉じ込め部材のためのワイヤバーフック（例えば、図２４Ａ、２４Ｂ、３６Ａ、３６Ｂ、３８Ａ、および３８Ｂの１９７０）と、動物閉じ込め部材のためのワイヤバースナップ（例えば、図２４Ａ、３６Ａ、３６Ｂ、３８Ａ、および３８Ｂの１９７５）とを有することができる。いくつかの実施形態では、ケージ基部のリム内の陥凹１５２５の中に挿入される組み合わせられた餌および水保持器のワイヤバーフック１９５０は、組み合わせられた餌および水保持器に取り付けられる動物閉じ込め部材（例えば、全てのワイヤバー特徴）を取り付け、支持する役割を果たすことができ、これは、ケージ基部のリムからケージ基部内部の中に懸下されることができる。
【００３４】
いくつかの実施形態では、餌および水越流レセプタクルが、餌区分の下および水区分の下に位置付けられる（例えば、図２４Ｂ、３５Ａ、および３５Ｂの１９３０）。餌および水越流レセプタクルは、それらが尿および糞便の収集物中に含まれないように、動物によって溢れ落とされた餌を収集することができ、動物によって溢れ落とされた水を収集することができる。いくつかの実施形態では、越流レセプタクルは、越流レセプタクル底面（例えば、図３５Ａの１９３２）と、越流レセプタクル側面（例えば、図３５Ａの１９３４）と、越流レセプタクル辺縁（例えば、図３５Ａの１９３３）と、１つ以上のグリップ（例えば、図３５Ａの１９３１）とを備える。
（動物排泄物収集器部材）
【００３５】
いくつかの実施形態では、動物排泄物収集器部材（例えば、図１および７の２００）は、ケージ底部開口部の真下に配置される。尿および糞便は、ケージ底部における格子部材を通して収集器部材の内部領域の中へ通過する。ある実施形態では、収集器部材は、近位端（例えば、図７の２１０）と、遠位端（例えば、図７の２１５）と、近位開口部（例えば、図７の２２０）と、遠位開口部（例えば、図７の２３０）と、内面（例えば２５０）および外面（例えば、２６０）を備える１つ以上の側壁（例えば、２４０）とを備え、１つ以上の側壁の少なくとも一部およびそのうちの少なくとも１つは、収集器部材の近位開口部から遠位開口部までテーパ状になる。いくつかの実施形態では、１つまたは複数の側壁は、水平面に対して４０度〜９０度の角度でテーパ状になる。ある実施形態では、角度は、４０、４５、５０、５５、６０、６５、７０、７５、８０、８５、または９０度であり得る。いくつかの実施形態では、角度は、約５５度である。
【００３６】
いくつかの実施形態では、動物排泄物収集器部材（例えば、図１９、２０、２４Ａ、２５Ａ−Ｃ、および３９Ａの２０００）または円錐形収集器部材（例えば、図２６の２９５０）は、ケージ底部開口部の真下に配置される。尿および糞便は、ケージ底部における床格子部材を通して収集器部材の内部領域の中へ通過する。
【００３７】
いくつかの実施形態では、収集器部材の側壁は、開放パネル（例えば、図２５Ｃの２４５０）である。いくつかの実施形態では、収集器部材は、近位末端においてリム（例えば、図２５Ａおよび２５Ｂの２９２０）を有する。
【００３８】
ある実施形態では、動物排泄物収集器部材の近位開口部、遠位開口部、および側壁のうちの１つ以上のものは、錐台として配置される。収集器部材は、ケージから尿および糞便を収集し、分離器部材へのその移動を可能にする、または促進するために、少なくとも部分的に、底部開口部の真下に垂直に下向きに傾斜する任意の好適な形状であり得る。ある実施形態では、収集器部材の近位開口部は、格子を通過し、ケージから退出する尿および糞便を収集するために、ケージ基部底部開口部と整合されることができる。収集器部材の近位開口部は、格子を通過する動物排泄物物質の全てまたは殆どが収集器部材の中またはその上に落下するように、ケージ底部における開口部の寸法に等しい、もしくそれをわずかに上回るように定寸される。いくつかの実施形態では、収集器部材の内面は、無孔であり、尿および／または糞便の留保を最小限にするように処理されてもよい。いくつかの実施形態では、処理は、疎水性材料、例えば、テフロン（登録商標）、ワックス、シリコーン、または任意の超疎水性コーティングを用いたものであり得る。
【００３９】
ある実施形態では、収集器部材の近位開口部は、ケージ基部の内部に位置付けられる。ある実施形態では、収集器部材は、これがケージ基部の内部を通して、かつケージ基部底部開口部の中に挿入される際、ケージ基部に接続される（図３９Ａ参照）。
【００４０】
いくつかの実施形態では、排泄物収集器部材は、ケージ基部においてケージに一体的に接続される（例えば、ケージおよび収集器が一体であるように、ケージの底部に成形される）。
（入れ子ケージ構成要素）
【００４１】
ケージ構成要素が、別の同様のケージ構成要素の中に挿入されることができ、いくつかの構成要素は、積層されることができ、これは、本明細書では、「入れ子」と称される。入れ子ケージ構成要素は、同一の数の非入れ子部材と比較して、複数のケージ構成要素の体積を有意に低減させ、これは、例えば、出荷、動物を格納する前の収容、および動物を格納した後の収容のために有利である。限定ではないが、１０個以上の、２０個以上の、３０個以上の、４０個以上の、５０個以上の、６０個以上の、７０個以上の、８０個以上の、９０個以上の、または１００個以上の同様の構成要素を含む、任意の便宜的な数の同様の構成要素が、入れ子にされることができる。入れ子の程度または効率は、時として、入れ子構成要素の全体的高さまたは体積に対する、これを含有する別の同様の構成要素内の入れ子構成要素の高さまたは体積である、パーセンテージの観点から表されることができる。したがって、用語「８０％入れ子にされる」は、例えば、入れ子ケージ部材の体積または高さの８０％が、これが挿入される部材内に含有されることを示す。積層されると、本明細書に提供されるケージ基部は、多くの場合、７５％以上が入れ子にされ、時として、８０％以上または８５％以上が入れ子にされ、時として、約９０％〜約９５％が入れ子にされる。
【００４２】
ケージ構成要素は、時として、入れ子ケージ構成要素の分離を促進する、または入れ子ケージ構成要素の圧縮を実質的に低減または防止する入れ子分離部材を備える。構成要素の圧縮または重ね入れ子は、相互に接着する入れ子構成要素につながり、入れ子ユニットが相互から自由に分離しないように干渉することができる。ある実施形態では、入れ子分離部材は、フランジ部材またはそれに近接して位置する湾曲部材または窪み部材である。いくつかの実施形態では、ケージ構成要素は、時として、隣接する入れ子ケージ基部の対応する窪みまたはボスに当接する（例えば、それと干渉する）窪みまたはボスを備える。そのようなボスまたは窪みの縁および／または角は、時として、０．０３インチまたはそれを下回る半径によって画定される。そのような窪みまたはボスは、相互からの入れ子ケージ構成要素の分離を促進することができ、相互への入れ子ユニットの圧縮および固着を防止する、または実質的に低減させることができる。
【００４３】
したがって、ある実施形態では、提供されるものは、底部および１つまたは複数の壁を有するケージ基部を備えるケージ基部の入れ子セットであり、ケージ基部は、約７５％以上が入れ子にされる。壁、壁のサブセット、または全ての壁は、多くの場合、底部に向かって内向きにテーパ状になる。ケージ基部の入れ子セットにおけるケージ基部のうちの２つ以上の、または全ての壁は、多くの場合、入れ子効率を助長するために、ケージ基部底部に対して非垂直角度（例えば、ケージ基部底部に対して９０度を上回る角度）にある。ケージ基部は、時として、約８０％以上が入れ子にされ、８５％以上が入れ子にされる、または約９０％〜約９５％が入れ子にされることができる。ある実施形態では、取り付けられた収集器部材または取り付けられた円錐形収集部材を伴うケージ基部が、入れ子セットとして提供される。取り付けられた収集器部材または取り付けられた円錐形収集部材を伴うケージ基部は、約７５％以上が入れ子にされる。取り付けられた収集器部材または取り付けられた円錐形収集部材を伴うケージ基部は、時として、約８０％以上が入れ子にされ、８５％以上が入れ子にされる、または約９０％〜約９５％が入れ子にされることができる。また、提供されるものは、約７０％以上が入れ子にされるカバーを備える、ケージカバーの入れ子セットである。ケージカバーは、時として、約８０％以上が入れ子にされ、８５％以上が入れ子にされる、または約９０％〜約９５％が入れ子にされることができる。
【００４４】
ある実施形態では、収集器部材、円錐形収集器部材、挿入部材、動物閉じ込め部材、餌および水ワイヤバー保持器、および餌および水越流レセプタクルは、それぞれ、上記に説明されるように入れ子にされることができる。
（挿入部材）
【００４５】
ある実施形態では、ケージ収集器部材は、ケージ内に含有される動物によって排泄された尿および糞便を収集し、尿および糞便を動物排泄物分離器部材に指向するために、挿入部材（例えば、図７Ｃの２９８、図２５Ｃの２９８０）を含む。いくつかの実施形態では、挿入部材（例えば、図７Ａおよび７Ｂの６００）は、収集器部材（例えば、２００）と接触し、挿入部材は、近位開口部（例えば、図７Ａの６１０）と、遠位開口部（例えば、図７Ａ−Ｃ、図９Ｂ、および図１０Ｂの６２０）と、内面（例えば、図７Ａの６４０）および外面（例えば、図７Ａの６５０）を備える１つ以上の側壁（例えば、図７Ａの６３０）とを備える。いくつかの実施形態では、１つ以上の側壁の少なくとも一部およびそのうちの少なくとも１つは、挿入部材の近位開口部から遠位開口部までテーパ状になる。いくつかの実施形態では、挿入部材の１つ以上の側壁のうちの少なくとも１つは、収集器部材の１つ以上の側壁よりも長く、挿入部材の近位領域における挿入部材の１つ以上の側壁のその外面の一部は、収集器部材の１つ以上の側壁の内面と接触し、挿入部材の遠位領域における挿入部材の１つ以上の側壁の外面の一部は、収集器部材の１つ以上の側壁の内面と接触しない（図７Ｃ参照）。
【００４６】
いくつかの実施形態では、挿入部材は、紙である。いくつかの側面では、挿入部材は、蝋紙である。いくつかの実施形態では、挿入部材の内面は、化学的に処理される。いくつかの実施形態では、疎水性材料が、挿入部材の内面に適用される。いくつかの実施形態では、処理は、プラスチック／コーティングプラスチック、テフロン（登録商標）、ワックス、シリコーン、または任意の超疎水性コーティングを用いたものであり得る。
【００４７】
いくつかの実施形態では、挿入部材は、好適なプラスチックまたはポリマー（例えば、ポリプロピレン（ＰＰ）、高密度ポリエチレン（ＨＤＰＥ）、低密度ポリエチレン（ＬＤＰＥ）、ポリエチレンテレフタラート（ＰＥＴ）、ポリ塩化ビニル（ＰＶＣ）、ポリエチレンフルオロエチレン（ＰＥＦＥ）、ポリスチレン（ＰＳ）、ポリカーボネート（ＰＣ）、ポリスチレン（例えば、高密度ポリスチレン）、アクリルニトリルブタジエンスチレンコポリマー、ポリエチレンフラーノエート（ＰＥＦ）、同等物、またはそれらの組み合わせ）である。
【００４８】
ある実施形態では、挿入部材と併用されるときの動物排泄物収集器部材は、ケージと別個の構造であり得、ケージの内部に張り出す収集器部材の側フランジ（例えば、図７Ａおよび７Ｃの２９０）等のコネクタによってケージの内部の底部部分に取り付けられる。いくつかの実施形態では、挿入部材と併用されるときの排泄物収集器部材は、ケージ底部においてケージに一体的に接続される（例えば、ケージおよび収集器が一体であるように、ケージの底部に成形される）。
【００４９】
ある実施形態では、挿入部材と併用されるときの動物排泄物収集器部材は、ケージ基部と別個の構造であり得る（図３９Ａ参照）。いくつかの実施形態では、収集器部材は、収集器部材近位端の外面上に位置する肋材（例えば、図２５Ａおよび３４の２９００）および支持タブ（例えば、図２５Ａ、３４、および３９Ａの２９１０）によって、ケージ基部の内部の底部部分に接続される、または取り付けられることができる（図３９Ｂ参照）。いくつかの実施形態では、肋材２９００は、ケージ基部底部床棚部またはシェルフ（例えば、図３９Ａの１５５０）の上面上に静置するように位置付けられ、支持タブ２９１０は、床棚部またはシェルフの一部ではないケージ基部底面の部分（例えば、図３９Ａおよび３９Ｂの１４００）上に静置するように位置付けられる。ある実施形態では、コネクタ部材は、肋材および支持タブを用いて、ケージ基部底部床棚部１５５０およびケージ底部１４００の他の固体表面積上に位置する。
【００５０】
いくつかの実施形態では、収集器部材は、円錐形遠位端（例えば、図８の２９７、図３３Ａの２９７０）を有するように構築され、円錐形収集器部材（例えば、図８および１５Ａの２９５、図２６および３３Ａの２９５０）と称される。円錐形収集器部材は、ケージ内に含有される動物によって排泄された尿および糞便を収集し、尿および糞便を動物排泄物分離器部材に指向するために挿入部材を要求しない。いくつかの実施形態では、円錐形収集器部材は、ケージ底部においてケージに一体的に接続される（底部に成形される）。ある実施形態では、円錐形収集器部材は、ケージ底部に取り付けられる、または接続され得る別個の構造であり得る。
【００５１】
いくつかの実施形態では、円錐形収集器部材の内面は、無孔であり、尿および／または糞便の留保を最小限にするように処理されてもよい。いくつかの実施形態では、処理は、疎水性材料、例えば、テフロン（登録商標）、ワックス、シリコーン、または任意の超疎水性コーティングを用いたものであり得る。
【００５２】
円錐形収集器部材は、収集器部材に関して説明されるものと類似する材料から構築されてもよい。
【００５３】
いくつかの実施形態では、収集器部材の内面、挿入部材の内面、または円錐形収集器部材の内面は、着目分析物（抗原、抗体、薬物、代謝物、生物、またはそれらの一部等）のための結合剤を用いてコーティングされることができる。結合剤の実施例は、限定ではないが、抗体、抗原、受容体、タンパク質、核酸、炭水化物、脂質、磁気ビーズを含む。着目分析物の検出は、標識の使用によるものであってもよく、限定ではないが、フルオロフォア、放射性同位体、比色剤、発光剤、化学発光剤、光散乱剤、蛍光シフト（ＦＲＥＴ）、Ｅｌｉｓａアッセイ、および同等物を含むものが、標識として使用されてもよい。いくつかの実施形態では、収集器部材の内面、挿入部材の内面、または円錐形収集器部材の内面は、化学的インジケータ、例えば、ｐＨレベル、グルコースレベル、タンパク質、アミノ酸、ＤＮＡ等を検出するためのインジケータを用いてコーティングされることができる。
【００５４】
いくつかの実施形態では、収集器部材は、いくつかの実施形態では、形状が長方形であり得る、１つ以上のコネクタ壁を備える収集器部材の遠位部分と統合される収集器延在部材（例えば、図１、２、および５の２７０）を備える。収集器部材は、開放底部または開口部を伴う底部を有することができる。いくつかの実施形態では、収集器延在部材は、その遠位端において延在遷移部（例えば、図１、７Ｃ、および１０の２８０）を備える。
【００５５】
いくつかの実施形態では、収集器部材（２０００）は、収集器部材遠位開口部（例えば、図３９Ａおよび３９Ｂの２３００）から遷移する収集器延在部材（例えば、図１９、２０、２４Ａ、２５Ａ、２５Ｃ、３３Ｂ、および３４の２７００）を備える。ある実施形態では、収集器延在部材（２７００）は、分離器部材取付フランジ（例えば、図３１および３４の３６１０）が静置するための支持フランジ（例えば、図２８Ｂ、３３Ｂ、および３４の２７１０）を備える。
【００５６】
挿入部材および円錐形収集部材の側壁テーパおよび表面は、留保を最小限にしながら、分離器部材への糞便および尿の効率的な移動を促進する。
（動物排泄物分離器部材）
【００５７】
いくつかの実施形態では、収集器部材（挿入物の有無を問わず）または円錐形収集器部材によって収集される尿および糞便は、動物排泄物分離器部材（例えば、図１、２、５、６、８、および１１−１６の３００）によって分離される。分離器部材は、分離され、別個の容器内に個別に収集される糞便および尿を受容するために、収集器部材または円錐形収集器部材と事実上接続する。
【００５８】
ある実施形態では、分離器部材は、近位開口部（例えば、図１２Ａおよび１４の３１０）と、遠位開口部（例えば、図１３Ｂの３２０）と、前部（例えば、図８、１１Ｃ、１２Ａ、および１３Ａの３３０）と、側面（例えば、図８、１１Ｂ、１１Ｃ、および１２Ｂの３４０）と、後部（例えば、図１１Ａおよび１４Ａの３５０）と、底部（例えば、図１２Ｂおよび１４Ａの３６０）と、側面に接続される近位シュート部材（例えば、図１１Ｃ、１１Ｄ、１２Ａ、１３Ａ、１３Ｂ、１４Ｂ、および１６の３７０）と、側面に接続される遠位シュート部材（例えば、１１Ｄ、１２Ａ、１３Ｂ、１４Ｂ、および１６の３８０）と、底部に接続される第１の容器コネクタ（例えば、図１２Ｂ、１４Ａ、１５Ａ、および１５Ｂの５００）と、底部に接続される第２の容器コネクタ（例えば、図１２Ｂ、１４Ａ、１５Ａ、および１５Ｂの５４０）とを備える。
【００５９】
ある実施形態では、分離器部材は、第１の分離器コネクタ（例えば、図７Ｃ、１５Ｂ、および１６の４００）によって収集器部材に取り付けられる。いくつかの実施形態では、第１の分離器コネクタは、収集器部材の収集器延在部材（例えば、図１、５、７Ｃ、１５Ｂ、および１６の２７０）に取り付けられる。取付は、クランプ、フック、糊、磁石、ゴムバンド、または任意の機械的取付等の任意の手段によるものであり得る。いくつかの実施形態では、収集器延在部材は、延在遷移部（例えば、図１、７Ｃ、および１６の２８０）を備える。いくつかの実施形態では、分離器部材は、第２の分離器コネクタ（例えば、図８および１５Ａの４３０）によって円錐形収集器部材に取り付けられる。
【００６０】
ある実施形態では、近位シュート部材（例えば、図１１Ｃ、１１Ｄ、１２Ａ、１３Ａ、１３Ｂ、１４Ｂ、および１６の３７０）は、近位末端（例えば、図１３Ａおよび１４Ａの３７１）と、分離器部材の後部と関連する遠位末端（例えば、図１４Ｂの３７２）と、前面（例えば、図１３Ｂおよび１６の３７３）とを備える。いくつかの実施形態では、近位シュート部材は、近位末端から遠位末端に向かって軸方向に延在する、近位シュートの第１の傾斜面（例えば、図１３Ｂの３７５）と、近位シュートの第２の傾斜面（例えば、図１３Ｂの３７７）とを備える。いくつかの実施形態では、近位シュートの第１の傾斜面角度Ｃ（例えば、図１３Ｂの３７６）は、約３５度〜約６５度（例えば、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、または６５度）である。いくつかの実施形態では、近位シュートの第１の傾斜面角度Ｃ（例えば、図１３Ｂの３７６）は、約３５度〜約７５度（例えば、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、または７５度）である。いくつかの実施形態では、角度Ｃは、約１２．６度（角度ＡおよびＢと同一の平面から測定されるとき、４２．４度）である。いくつかの実施形態では、近位シュートの第２の傾斜面角度Ｂ（例えば、図１３Ｂの３７８）は、約３５度〜約６５度（３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、または６５度）である。いくつかの実施形態では、近位シュートの第２の傾斜面角度Ｂ（例えば、図１３Ｂの３７８）は、約３５度〜約７５度（例えば、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、または７５度）である。いくつかの実施形態では、角度Ｂは、約５５度である。いくつかの実施形態では、近位シュート部材の前面は、湾曲面を備える。
【００６１】
ある実施形態では、円錐形収集器部材の遠位開口部または収集器部材挿入物の遠位開口部は、近位シュート部材前面に近接するが、近位シュート前面距離Ｆ（例えば、図１６の３９５）だけ接触せずに配置され、着地または標的区域（例えば、図１３Ａおよび１３Ｂの３７４）の領域において前面と整合される。ある実施形態では、近位シュート前面距離Ｆは、約０．２インチ〜３．０インチ（例えば、０．２、０．３、０．４、０．５、０．６、０．７、０．８、０．９、１．０、１．１、１．１、１．３、１．４、１．５、１．６、１．７、１．８、１．９、２．０、２．１、２．２、２．３、２．４、２．５、２．６、２．７、２．８、２．９、または３．０インチ）であり得る。いくつかの実施形態では、近位シュート前面距離Ｆは、約０．５インチ〜１．７インチである。近位シュート前面距離Ｆおよび近位シュートの着地区域領域は、収集器部材からの尿および糞便が、分離を促進する様式で近位シュート部材の前面に接触するように選定される。
【００６２】
ある実施形態では、分離器部材は、遠位シュート部材（例えば、図１１Ｄ、１２Ａ、１３Ａ、１４Ａ、および１６の３８０）を備える。いくつかの実施形態では、遠位シュート部材は、近位末端（例えば、図１１Ｄおよび１２Ａの３８１）と、遠位末端（例えば、図１１Ｄおよび１２Ａの３８２）と、前面（例えば、図１１Ｄおよび１２Ａの３８３）と、後面（例えば、図１３Ｂの３８４）とを備える。いくつかの実施形態では、遠位シュート部材は、近位シュート部材に接続されず、分離器部材の後部に接続されない。いくつかの実施形態では、遠位シュートは、遠位シュートの前面と分離器部材の内部側壁（例えば、図１１Ｄ、１２Ａ、および１４Ｂの３６５）との間に遷移壁（例えば、図１１Ｄ、１２Ａ、および１４Ｂの３８５）を有する略平坦面を備える。遷移壁は、糞便を容器の中に指向することを補助する。
【００６３】
いくつかの実施形態では、遠位シュート部材は、遠位シュートの近位末端から遠位末端に向かって軸方向に延在する第３の傾斜面（例えば、図１３Ｂの３８６）を備える。いくつかの実施形態では、遠位シュート部材の第３の傾斜面角度Ａ（例えば、図１３Ｂの３８７）は、近位シュートの第１の傾斜面および近位シュートの第２の傾斜面の角度と異なる角度を有する。いくつかの実施形態では、遠位シュート部材の第３の傾斜面角度Ａ（例えば、図１３Ｂの３８７）は、近位シュートの第１の傾斜面および／または近位シュートの第２の傾斜面の角度と同一である角度を有する。ある実施形態では、第３の傾斜面角度は、約３５度〜約６５度（例えば、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、または６５度）である。ある実施形態では、第３の傾斜面角度は、約３５度〜約７５度（例えば、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、または７５度）である。いくつかの実施形態では、角度Ａは、約４１度である。
【００６４】
ある実施形態では、遠位シュート部材の近位末端（３８１）は、近位シュート部材の遠位末端（３７２）から垂直にオフセットされる。オフセットは、Ｄ（例えば、図１３Ｂの３９１）として示される。いくつかの実施形態では、オフセット（Ｄ）は、約０．２５インチ〜約１．０インチ（例えば、０．２５、０．３０、０．３５、０．４０、０．４５、０．５０、０．５５、０．６０、０．６５、０．７０、０．７５、０．８０、０．８５、０．９０、０．９５、または１．００インチ）であり得る。ある実施形態では、Ｄは、約０．５４インチである。いくつかの実施形態では、垂直オフセットは、近位および遠位シュートの間に位置する動物排泄物分離器部材の後壁（例えば、図１３Ｂの４２０）によって画定される。
【００６５】
ある実施形態では、遠位シュート部材の近位末端は、近位シュート部材の遠位末端から水平にオフセットされ、間隙（例えば、図１１Ｄ、１２Ａ、および１３Ｂの３９０）をもたらす。いくつかの実施形態では、オフセット（Ｅ）は、約０．１５インチ〜約０．２５インチ（例えば、０．１５、０．１６、０．１７、０．１８、０．１９、０．２０、０．２１、０．２２、０．２３、０．２４、または０．２５インチ）であり得る。いくつかの実施形態では、オフセット（Ｅ）は、約０．１０インチ〜約０．２５インチ（例えば、０．１０、０．１１、０．１２、０．１３、０．１４、０．１５、０．１６、０．１７、０．１８、０．１９、０．２０、０．２１、０．２２、０．２３、０．２４、または０．２５インチ）であり得る。いくつかの実施形態では、Ｅは、約０．２０インチである。
【００６６】
いくつかの実施形態では、挿入物を伴う収集器部材または円錐形収集器部材（挿入物なし）によって収集される尿および糞便は、動物排泄物分離器部材（例えば、図１９、２０、２３、２４Ａ、２６、および２９−３４の３０００）によって分離される。分離器部材は、分離され、別個の容器内に個別に収集される糞便および尿を受容するために、収集器部材または円錐形収集器部材と事実上接続する。
【００６７】
ある実施形態では、分離器部材は、近位開口部（例えば、図３０Ａおよび３２Ｂの３１００）と、遠位開口部（例えば、図３２Ａの３２００）と、前部（例えば、図３１Ａの３３００）と、側面（例えば、図２９Ｂの３４００）と、後部（例えば、図２９Ａの３５００）と、底部（例えば、図３２Ａの３６００）と、側面に接続される近位シュート部材（例えば、図２９Ｄおよび３０Ａの３７００）と、側面に接続される遠位シュート部材（例えば、図２９Ｄおよび３０Ａの３８００）と、底部に接続される第１の容器コネクタ（例えば、図３０Ｂおよび３３Ａの５０００）と、底部に接続される第２の容器コネクタ（例えば、図３０Ｂおよび３３Ａの５４００）とを備える。
【００６８】
ある実施形態では、近位シュート部材（例えば、図２９Ｄおよび３０Ａの３７００）は、近位末端（例えば、図３１Ｂの３７１０）と、分離器部材の後部と関連する遠位末端（例えば、図３１Ｂの３７２０）と、前面（例えば、図３１Ｂの３７３０）とを備える。いくつかの実施形態では、近位シュート部材は、近位シュート傾斜面（例えば、図３１Ｂの３７５０）を備える。いくつかの実施形態では、近位シュート部材は、近位シュートの近位末端から遠位末端に向かって軸方向に延在する傾斜面を備える。いくつかの実施形態では、近位シュート傾斜面角度Ｂ（例えば、図３１Ｂの３７８０）は、約３５度〜約６５度（例えば、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、または６５度）である。いくつかの実施形態では、近位シュート傾斜面角度Ｂ（例えば、図３１Ｂの３７８０）は、約３５度〜約７５度（例えば、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、または７５度）である。いくつかの実施形態では、角度Ｂは、約５５度である。いくつかの実施形態では、近位シュート部材の前面は、湾曲面を備える。
【００６９】
ある実施形態では、円錐形収集器部材の遠位開口部または収集器部材挿入物の遠位開口部は、近位シュート部材前面に近接するが、近位シュート前面距離Ｆ（例えば、図３４の３９５０）だけ接触せずに配置され、着地または標的区域（例えば、図３１Ｂの３７４０）の領域において前面と整合される。ある実施形態では、近位シュート前面距離Ｆは、約０．０１インチ〜約３．０インチ（例えば、０．０１、０．０２、０．０３、０．０４、０．０５、０．０６、０．０７、０．０８、０．０９、０．１０、０．１１、０．１２、０．１３、０．１４、０．１５、０．１６、０．１７、０．１８、０．１９、０．２０、０．２１、０．２２、０．２３、０．２４、０．２５、０．２６、０．２７、０．２８、０．２９、０．３０、０．３１、０．３２、０．３３、０．３４、０．３５、０．３６、０．３７、０．３８、０．３９、０．４０、０．４１、０．４２、０．４３、０．４４、０．４５、０．４６、０．４７、０．４８、０．４９、０．５０、０．５１、０．５２、０．５３、０．５４、０．５５、０．５６、０．５７、０．５８、０．５９、０．６０、０．６１、０．６２、０．６３、０．６４、０．６５、０．６６、０．６７、０．６８、０．６９、０．７０、０．７１、０．７２、０．７３、０．７４、０．７５、０．７６、０．７７、０．７８、０．７９、０．８０、０．８１、０．８２、０．８３、０．８４、０．８５、０．８６、０．８７、０．８８、０．８９、０．９０、０．９１、０．９２、０．９３、０．９４、０．９５、０．９６、０．９７、０．９８、０．９９、１．０、１．１、１．２、１．３、１．４、１．５、１．６、１．７、１．８、１．９、２．０、２．１、２．２、２．３、２．４、２．５、２．６、２．７、２．８、２．９、または３．０インチ）であり得る。いくつかの実施形態では、近位シュート前面距離Ｆは、約０．１３インチである。近位シュート前面距離Ｆおよび近位シュートの着地区域領域は、収集器部材からの尿および糞便が、分離を促進する様式で近位シュート部材の前面に接触するように選定される。
【００７０】
ある実施形態では、分離器部材は、遠位シュート部材（例えば、図２９Ｄ、３０Ａ、および３１Ｂの３８００）を備える。いくつかの実施形態では、遠位シュート部材は、近位末端（例えば、図３４の３８１０）と、遠位末端（例えば、図３４の３８２０）と、前面（例えば、図３１Ｂの３８３０）と、後面（例えば、図３１Ｂの３８４０）とを備える。いくつかの実施形態では、遠位シュート部材は、近位シュート部材に接続されず、分離器部材の後部に接続されない。いくつかの実施形態では、遠位シュートは、遠位シュートの前面と分離器部材の内部側壁（例えば、図２９Ｄおよび３０Ａの３６５０）との間に遷移壁（例えば、図２９Ｄおよび３０Ａの３８５０）を有する略平坦面を備える。遷移壁は、容器の中に糞便を指向することを補助する。
【００７１】
いくつかの実施形態では、遠位シュート部材は、遠位シュートの近位末端から遠位末端に向かって軸方向に延在する傾斜面（例えば、図３１Ｂの３８６０）を備える。いくつかの実施形態では、遠位シュート部材傾斜面角度Ａ（例えば、図３１Ｂの３８７０）は、近位シュートの傾斜面の角度と異なる角度を有する。いくつかの実施形態では、遠位シュート部材傾斜面角度Ａ（例えば、図３１Ｂの３８７０）は、近位シュートの傾斜面の角度と同一である角度を有する。ある実施形態では、遠位シュート傾斜面角度は、約３５度〜約６５度（例えば、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、または６５度）である。ある実施形態では、遠位シュート傾斜面角度は、約３５度〜約７５度（例えば、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、または７５度）である。いくつかの実施形態では、角度Ａは、約３９．３度である。
【００７２】
ある実施形態では、遠位シュート部材の近位末端（３８１０）は、近位シュート部材の遠位末端（３７２０）から垂直にオフセットされる。オフセットは、Ｄ（例えば、図３１Ｂの３９１０）として示される。いくつかの実施形態では、オフセット（Ｄ）は、約０．２５インチ〜約１．０インチ（例えば、０．２５、０．３０、０．３５、０．４０、０．４５、０．５０、０．５５、０．６０、０．６５、０．７０、０．７５、０．８０、０．８５、０．９０、０．９５、または１．００インチ）であり得る。ある実施形態では、Ｄは、約０．６２インチである。いくつかの実施形態では、垂直オフセットは、近位および遠位シュートの間に位置する動物排泄物分離器部材の後壁（例えば、図３１Ｂの４２００）によって画定される。
【００７３】
ある実施形態では、遠位シュート部材の近位末端は、近位シュート部材の遠位末端から水平にオフセットされ、間隙（例えば、図２９Ｄ、３０Ａ、および３１Ｂの３９００）をもたらす。いくつかの実施形態では、オフセット（Ｅ）は、約０．１５インチ〜約０．２５インチ（例えば、０．１５、０．１６、０．１７、０．１８、０．１９、０．２０、０．２１、０．２２、０．２３、０．２４、または０．２５インチ）であり得る。いくつかの実施形態では、オフセット（Ｅ）は、約０．１０インチ〜約０．２５インチ（例えば、０．１０、０．１１、０．１２、０．１３、０．１４、０．１５、０．１６、０．１７、０．１８、０．１９、０．２０、０．２１、０．２２、０．２３、０．２４、または０．２５インチ）であり得る。いくつかの実施形態では、Ｅは、約０．２０インチである。
【００７４】
いくつかの実施形態では、分離器部材は、開放し、すなわち、内面の少なくとも一部は、暴露される（図１４Ａおよび１４Ｂ参照）。いくつかの実施形態では、分離器部材は、閉鎖され、分離器の内面は、暴露されない。いくつかの実施形態では、分離器は、分離器部材の前部から収集器延在部材に延在する付加的壁部材（例えば、図１６の４１０）を取り付けることによって閉鎖される。
【００７５】
ある実施形態では、分離器部材は、閉鎖構成を有する含有システム（例えば、図１９、２６、３２Ｂ、３３Ａ、３３Ｂ、および３４の３０００）である。いくつかの実施形態では、含有システムである分離器部材は、近位シュートの前面（例えば、図３１Ｂの３７３０）から横断して位置する分離器キャップ（例えば、図３１Ｂおよび３２Ｂの３５２０）を有する。
【００７６】
いくつかの実施形態では、分離器部材は、近位シュートの近位末端から遷移する分離器延在部材（例えば、図２５Ｂ、２６、３２Ａ、および３２Ｂの４０００）を有する。分離器延在部材は、多くの場合、外部底部接触面（例えば、図３２Ａの３６２０）を有する取付フランジ（例えば、図３１Ｂ、３２Ａ、３２Ｂ、および３４の３６１０）を有する。ある実施形態では、取付フランジの底部接触面３６２０は、分離器部材が収集器部材に取り付けられるように、収集器延在部材２７００の支持フランジ２７１０の内面と接触する（図３４参照）。いくつかの実施形態では、取付フランジの底部接触面は、支持フランジの最上面上に位置する。
【００７７】
いくつかの実施形態では、分離器部材、特に、近位および遠位シュートの内面は、無孔であり、尿および／または糞便の留保を最小限にするように処理されてもよい。いくつかの実施形態では、処理は、疎水性材料、例えば、テフロン（登録商標）、ワックス、シリコーン、または任意の超疎水性コーティングを用いたものであり得る。ある実施形態では、遠位シュート部材は、第１の容器コネクタ（例えば、図１２Ｂ、１４Ａ、１５Ａ、および１５Ｂの５００）と事実上接続し、近位シュート部材は、第２の容器コネクタ（例えば、図１２Ｂ、１４Ａ、１５Ａ、および１５Ｂの５４０）と事実上接続する。分離器の内部後壁面（例えば、図１４Ｂの３５５）は、尿が近位シュートの遠位端から第２の容器コネクタの中に流れ下るための垂直面を提供する。
【００７８】
ある実施形態では、第１の容器コネクタは、第１のボア（例えば、図１１Ｄ、１２Ａ、１３Ｂ、および１４Ｂの５０５）における分離器部材の底部（例えば、図１４Ａの３６０）において終端する第１のボア面（例えば、図１４Ａの５１０）を備える。第１のボア面は、容器と接続するための第１の接続部材（例えば、図１２Ｂおよび１４Ａの５２０）を備える。いくつかの実施形態では、接続部材は、ねじ山付き面を備える。いくつかの実施形態では、第１の容器コネクタは、アンダーハング（例えば、図１３Ｂの５３０）を備える。
【００７９】
ある実施形態では、第２の容器コネクタは、第２のボア（例えば、図１１Ｄおよび１３Ｂの５４５）における分離器部材の底部（例えば、図１４Ａの３６０）において終端する第２のボア面（例えば、図１４Ａの５５０）を備える。第２のボア面は、容器と接続するための第２の接続部材（例えば、図１２Ｂおよび１４Ａの５６０）を備える。いくつかの実施形態では、接続部材は、ねじ山付き面を備える。ある実施形態では、第２の容器コネクタは、漏斗フランジ（例えば、図１１Ｄ、１２Ａ、１２Ｂ、および１３Ｂの５７０）と、漏斗開口（例えば、図１３Ｂの５８０）とを備える。漏斗フランジは、第２の接続部材の内部にあり、容器の中への尿の流動を促進するように容器に嵌合する。いくつかの実施形態では、第２の容器コネクタは、１つまたは複数の壁を備えるチャンバ（例えば、図１３Ｂの５９０）を備える。いくつかの実施形態では、前壁（例えば、図１３Ｂの５９２）および後壁（例えば、図１３Ｂの５９３）がある。
【００８０】
他の非限定的実施形態は、第１の容器コネクタ（例えば、図３０Ｂ、３２Ａ、３３Ａ，および３Ｂの５０００）と事実上接続する遠位シュート部材を含み、近位シュート部材は、第２の容器コネクタ（例えば、図３０Ｂ、３２Ａ、３３Ａ、および３３Ｂの５４００）と事実上接続する。分離器の内部後壁面（例えば、図３１Ｂの３５５０）は、尿が近位シュートの遠位端から第２の容器コネクタの中に流れ下るための垂直面を提供する。
【００８１】
ある実施形態では、第１の容器コネクタは、遠位シュートの遠位末端と接触する第１のボア（例えば、図２９Ｄ、３０Ｂ、および３１Ｂの５０５０）を備える。第１のボアは、分離器部材の底部（例えば、図３２Ａの３６００）において終端する第１のボア面（例えば、図３２Ａの５１００）を有することができる。第１のボア面は、容器と接続するためのねじ山付き第１のボア面（例えば、図３１Ｂおよび３２Ａの５２００）を備える。
【００８２】
ある実施形態では、第２の容器コネクタは、シュート間の内部後壁面（例えば、図３１Ｂの３５５０）の遠位端と接触する第２のボア（例えば、図２９Ｄ、３０Ｂ、および３１Ｂの５４５０）を備える。第２のボアは、分離器部材の底部（例えば、図３２Ａの３６００）において終端する第２のボア面（例えば、図３２Ａの５５００）を有することができる。第２のボア面は、容器と接続するためのねじ山付き第２のボア面（例えば、図３１Ｂおよび３２Ａの５６００）を備える。ある実施形態では、第２の容器コネクタは、漏斗フランジ（例えば、図３０Ａ、３０Ｂ、３１Ｂ、および３４の５７００）と、漏斗開口（例えば、図３１Ｂの５８００）とを備える。多くの場合、漏斗フランジは、容器に嵌合し、容器の中への尿の流動を促進することができる。いくつかの実施形態では、第２の容器コネクタは、１つまたは複数の壁を備えるチャンバ（例えば、図３１Ｂの５９００）を備える。いくつかの実施形態では、前壁（例えば、図３１Ｂの５９２０）および後壁（例えば、図３１Ｂの５９３０）がある。
【００８３】
ある実施形態では、動物排泄物収集動物含有ケージの各部分は、単回使用のためのものであり、動物排泄物収集動物含有ケージ全体が、単回使用後に処分される。これを洗浄または滅菌するステップ、または別の尿および／または糞便収集および分離のためにこれを再使用するステップは、存在しない。いくつかの実施形態では、挿入部材は、単一の動物または複数の動物を伴うケージの一連の使用の間に１回以上の回数交換されることができる。単回使用は、１つのアッセイ、いくつかのアッセイ、１つの実験、いくつかの実験、またはある時間周期にわたる研究であり得る。いくつかの実施形態では、金属である格子および／または格子側部材は、洗浄、滅菌され、収集のために新しいケージにおいて再使用されることができる。いくつかの実施形態では、金属（例えば、ワイヤバー）から作製されるときの動物閉じ込め部材および餌および水保持器は、洗浄、滅菌され、収集のために新しいケージにおいて再使用されることができる。
【００８４】
本明細書に説明される動物排泄物収集動物含有ケージは、それらが単回使用であるため、非コーティング表面および疎水性コーティングを用いてコーティングされる表面の両方に関して、特定の研究において使用され得る、全てのケージを横断する均一かつ一貫した表面を提供する。尿および糞便に接触する本明細書に説明される収集器／分離器における表面は、ケージ毎に変動せず、それに応じて、尿および糞便の収集および分離においてより高い一貫性および再現性をもたらす。
【００８５】
本明細書に提供される動物排泄物収集動物含有ケージは、尿および糞便を収集し、尿および糞便の分離を達成するための運動を要求することなく機能する最小限の部分を有する。収集部材からの尿および糞便は、画定された標的領域内の近位シュートの前面に接触する。尿は、近位シュート部材の前面に接着し、それを辿って、漏斗フランジを通して分離器の後壁の内面上に、かつ容器の中に流動すると考えられる。対照的に、近位シュートに接触した後の糞便は、分離器を辿って異なる経路を辿る。糞便は、近位シュートによって遠位シュートに向かって指向され、間隙にわたって通過し（間隙の後壁は、尿が流動する場所である）、その独自の別個の容器の中に指向される。本明細書に説明される他の特徴とともに、収集器および分離器部材の選定された表面、コーティングまたは非コーティング、近位および遠位シュートおよび収集器のテーパの特定の角度、シュートの垂直および水平オフセット、近位シュートとの接触のための画定された標的場所、および近位シュートへの距離Ｆを含む、動物排泄物収集動物含有ケージの特徴は、尿および糞便の効率的かつ定量的収集および分離に寄与すると考えられる。
（容器）
【００８６】
ある実施形態では、容器が、分離された糞便および尿を収集するために、ボア面上に配置されるコネクタにおける分離器部材の遠位端において動物排泄物収集動物含有ケージに取り付けられる。いくつかの実施形態では、第１の容器（例えば、図２、５、および１７の７００、図２０および２３の７０００）が、第１のボア面上に配置される第１の接続部材に解放可能に取り付けられ、第２の容器（例えば、図２、５、および１７の７５０、図２０および２３の７５００）が、第２のボア面上に配置される第２の接続部材に解放可能に取り付けられる。いくつかの実施形態では、第１の容器は、ねじ山付き第１の接続部材と噛合し得るねじ山付き円形オリフィスを有し、第２の容器は、ねじ山付き第２の接続部材と噛合するねじ山付き円形オリフィスを有する。いくつかの実施形態では、動物排泄物を含有する容器は、螺合解除することによって除去され、冠着されることができる。ある実施形態では、分離器のコネクタへの容器の解放可能取付は、限定ではないが、咬持、結合、ドッキング、およびシールを含む、螺着以外の方法によるものであり得る。いくつかの実施形態では、第１の容器は、糞便の収集のためであり、第２の容器は、尿の収集のためである。
【００８７】
容器は、尿および糞便を保持し得る任意の好適な容器であり得る。ある側面では、容器は、生物医学的試料の収集および貯蔵のために使用されるものである。いくつかの実施形態では、容器は、プラスチックである。いくつかの実施形態では、容器は、プラスチック管であり、ねじキャップを有することができる。
（ラック）
【００８８】
いくつかの実施形態では、動物排泄物収集動物含有ケージは、ラック（例えば、図１７および１８の８００）内に配置される。本明細書に言及されるようなラックまたはケージラックは、ケージシステムを意味することができる。ケージラックまたはケージシステムは、本明細書では、「ラック」、「ケージ搭載プラットフォーム」、「ケージ搭載システム」、および／または「齧歯動物含有ケージラック」と称され得る。ケージラックまたはケージシステムは、恒久的（例えば、構造に内蔵される、例えば、非移動型）、自立型、移動可能、および／またはポータブルであってもよい。ラック８００の実施例が、図１７に示される。ラックは、時として、ラックと関連するケージを通気するように構成される通気ラックである。ラックは、例えば、（ｉ）ラックが存在する建物または建物の一部のための中央空気処理ユニット、（ｉｉ）ラック上に搭載される、またはラックと近接する１つ以上の送風機、および（ｉｉｉ）（ｉ）および（ｉｉ）の組み合わせから空気を指向することによってケージを通気することができる。
【００８９】
ある実施形態では、動物排泄物収集動物含有ケージ（１０００）は、ラック（例えば、図１７および１８の８００）内に配置される。
【００９０】
ラックは、多くの場合、１つ以上のケージを備える。１つ以上のケージは、任意の好適な構成においてケージラックまたはケージシステム上またはその中に収容または格納されてもよい。いくつかの実施形態では、ラックは、１つ以上の動物排泄物収集動物含有ケージを備える（図１７参照）。いくつかの実施形態では、ラックは、動物排泄物収集動物含有ケージおよび標準的ケージ（尿および糞便を収集および分離するように設計されていないケージ）の両方を備える（図１８参照）。
【００９１】
いくつかの実施形態では、ケージは、多くの場合、ケージラックに接続されるシェルフまたはレール上に存在する。ケージラックは、時として、ケージラック内またはその上に１つ以上のケージを収容するために有用な支持部材（例えば、図１７および１８の８１５、図２３の８１５０）上の１つ以上のケージ搭載アセンブリ（例えば、図１７および１８の８２０）を備える。ある実施形態では、ケージ搭載アセンブリは、ケージ上またはその中の対応するフランジを受容し、時として、摺動可能に摺動するように構成されるレールガイド（例えば、図１７および１８の８２５）を備える。いくつかの実施形態では、ラックは、ケージ搭載アセンブリを備え、動物排泄物収集動物含有ケージは、ケージ搭載アセンブリと係合される。
【００９２】
ある実施形態では、ラック支持部材は、ラック通気システムの中へのケージのドッキングおよび統合のためのケージ接続アセンブリ（例えば、図５の８３０）を備える。いくつかの実施形態では、ケージ接続アセンブリは、ケージ蓋上に位置するケージ突出部（例えば、図４および５の９１０および９２０、図２２および２３の９１００および９２００）と噛合するように構成されるケージ突出部コネクタ構成要素（例えば、図５の８３５、図２３の８３５０）を備える（図４および５および図２２および２３参照）。ケージ接続アセンブリは、ラック通気システムのダクトおよび／またはプレナムに事実上接続される。いくつかの実施形態では、動物排泄物収集動物含有ケージが、ケージ突出部を備え、ラックが、ケージコネクタアセンブリを備え、各ケージ突出部は、ケージコネクタアセンブリと係合される。
【００９３】
ケージラックは、多くの場合、ラック内に格納されるケージに空気を提供する、および／またはそれから空気を除去するように構成される、１つ以上の送風機（例えば、図１７および１８の８１０）、ファン、タービンを備える。時として、ラックは、空気供給および排気のために構成される２つ以上の送風機を備える。通気制御システムを備えるケージラックシステムでは、空気は、概して、１つ以上の送風機、プレナム、および／またはダクトの好適な配列によってケージの中に導入される。ラックシステム内の各ケージは、多くの場合、吸気のために構成される通気孔またはポートと、排気のために構成される別の通気孔またはポートとを備える。ラック通気システムのいくつかの実施形態では、送風機は、各ケージ上に位置する吸気通気孔またはポートを通して１つ以上のケージに正の空気圧を供給する。いくつかの実施形態では、ラックは、１つ以上のダクトまたはプレナムを通して、各ケージ上に位置する吸気ポートまたは通気孔を通して１つ以上のケージの中に空気を指向する吸気送風機を備える。そのような実施形態では、時として、空気は、ケージ上に位置する別の通気孔またはポートを通してケージおよび／またはケージ通気システムから退出する。いくつかの実施形態では、排気送風機が、１つ以上のケージ上の排気ポートまたは通気孔に事実上接続され、排気送風機は、負圧を提供する。時として、空気は、ダクトまたはプレナムからケージの中に引き込まれる。時として、空気は、部屋、建物、または封入体の開放空気から、または封入体の外側から（例えば、環境から）ケージの中に引き込まれる。いくつかの実施形態では、ラックは、１つ以上のダクトまたはプレナムを通して、吸気ポートまたは通気孔を通して１つ以上のケージの中に空気を指向する吸気送風機を備える。そのような実施形態では、空気は、次いで、ケージから、排気ポートまたは通気孔を通して、１つ以上のダクトまたはプレナムの中に、かつ排気送風機の中に指向され、空気が、本システムから放出される。そのような実施形態では、空気は、概して、ラックの空気供給部分からのケージを通したラックの排気部分への回路において流動する。
【００９４】
いくつかの実施形態では、動物排泄物収集動物含有ケージは、ラックから正の空気圧および負の空気圧を受容するために、ラックと係合される。いくつかの実施形態では、動物排泄物収集動物含有ケージは、ラックと係合されるが、ラックから正の空気圧および負の空気圧を受容しない。
【００９５】
いくつかの実施形態では、動物含有システムは、時として、正圧モードにおいて動作し、ケージ内の圧力が外側環境よりも高いことを意味する。本モードの利点は、外側汚染が全くまたは殆どケージの中に漏出せず、居住動物に害を及ぼし得ないことである。
【００９６】
いくつかの実施形態では、動物含有システムは、時として、負圧モードにおいて動作し、ケージ内の圧力が外側環境圧力よりも低いことを意味する。負圧モードが、望ましくあり得、高生物安全性レベル環境内で採用されることができる。高生物安全性レベル環境は、病原体、毒素、または規制物質等の人員に潜在的に有害または有害な１つ以上のリスク成分が利用される環境を含む。高生物安全性レベル環境は、生物安全性レベル（ＢＳＬ）２、３、または４環境を含むことができる。生物安全性レベル１は、健康な成人ヒトにおいて疾患を引き起こすことが公知ではなく、実験室人員および環境への潜在的な危険が殆どない、明確に特徴付けられた病原体を伴う作業のために好適である。生物安全性レベル２は、レベル１に類似し、人員および環境への中程度の潜在的危険の病原体を伴う作業のために好適である。生物安全性レベル３は、作業が吸入経路による暴露の結果として重篤または潜在的に致死的な疾患を引き起こし得る固有または外来病原体を用いて行われる、臨床、診断、教育、研究、または生産施設に適用可能である。生物安全性レベル４は、エアロゾル伝達実験室感染および生命にかかわる疾患の高い個々のリスクをもたらす、危険な外来病原体を伴う作業のために要求される。ある実施形態では、動物排泄物収集動物含有ケージは、ＢＳＬ２＋施設における使用のために好適である。
（スタンド）
【００９７】
いくつかの実施形態では、動物排泄物収集動物含有ケージは、ラックと関連付けられない。ある実施形態では、動物排泄物収集動物含有ケージは、スタンド（例えば、図４０の８４００）と関連付けられる。ある実施形態では、動物排泄物収集動物含有ケージは、スタンドによって支持される。ある実施形態では、動物排泄物収集動物含有ケージカバーが、動物排泄物収集動物含有ケージスタンド支持部材（例えば、図４０の８５００）上に静置する。１つ以上の動物排泄物収集動物含有ケージに適応させるために適切な寸法のスタンドが、任意の好適な材料を使用して構築されることができる。
（使用方法）
【００９８】
本明細書に提供される動物排泄物収集動物含有ケージは、実験室動物によって排泄された糞便および／または尿を収集および分離するために有用である。
【００９９】
本明細書に提供されるものは、上記に説明されるような動物排泄物収集動物含有ケージ内に１匹または複数の動物を設置するステップと、第１の容器内で尿を取得する、および／または第２の容器内で糞便を取得するステップとを含む、１匹または複数の動物からの尿および／または糞便を収集および分離するための方法である。
（製造方法）
【０１００】
動物排泄物収集動物含有ケージの構成要素（例えば、ケージ蓋、ケージ基部、収集器部材、および分離器部材）は、多くの場合、任意の便宜的なプロセスによって、時として、例えば、射出成形、熱形成、または真空形成プロセスにおいて製造される。
【０１０１】
ケージ基部および蓋および他のケージ構成要素は、動物を格納するために好適な１つ以上の材料から製造されてもよい。材料は、剛性であってもよく、多くの場合、半剛性または可撓性である。材料は、半透明または透明材料であってもよい。材料は、時として、種々のタイプの電磁放射への透過性または不透過性を改変する添加剤から成る。ケージ、ケージ構成要素、またはそれらの一部の製造のために利用され得る材料の非限定的実施例は、好適なプラスチックまたはポリマー（例えば、ポリプロピレン（ＰＰ）、高密度ポリエチレン（ＨＤＰＥ）、低密度ポリエチレン（ＬＤＰＥ）、ポリエチレンテレフタラート（ＰＥＴ）、ポリ塩化ビニル（ＰＶＣ）、ポリエチレンフルオロエチレン（ＰＥＦＥ）、ポリスチレン（ＰＳ）、ポリカーボネート（ＰＣ）、ポリスチレン（例えば、高密度ポリスチレン）、アクリルニトリルブタジエンスチレンコポリマー、ポリエチレンフラーノエート（ＰＥＦ）、同等物、またはそれらの組み合わせ）、好適な金属または合金、好適な木材、同等物、またはそれらの組み合わせを含む。ある実施形態では、ケージ基部、蓋、および他の構成要素は、生体分解性または再生利用可能材料から成る。
【０１０２】
動物排泄物収集器部材は、尿および糞便の収集のために好適な１つ以上の材料から製造されてもよい。ある実施形態では、材料は、最小量の尿または糞便を留保するように、非多孔性である。典型的には、収集器部材内に設置される挿入部材は、糞便および尿と直接接触する表面を表し、排泄物収集器部材は、尿および糞便の収集のために好適な材料から製造される必要はない。動物排泄物円錐形収集器部材は、これが尿および／または糞便に接触するため、通常、尿および糞便の収集のために好適な１つ以上の材料から製造される。ある実施形態では、材料は、最小量の尿または糞便を留保するように、非多孔性である。動物排泄物収集器部材および動物排泄物円錐形収集器部材の製造のために利用され得る材料の非限定的実施例は、好適なプラスチックまたはポリマー（例えば、ポリプロピレン（ＰＰ）、高密度ポリエチレン（ＨＤＰＥ）、低密度ポリエチレン（ＬＤＰＥ）、ポリエチレンテレフタラート（ＰＥＴ）、ポリ塩化ビニル（ＰＶＣ）、ポリエチレンフルオロエチレン（ＰＥＦＥ）、ポリスチレン（ＰＳ）、ポリカーボネート（ＰＣ）、ポリスチレン（例えば、高密度ポリスチレン）、アクリルニトリルブタジエンスチレンコポリマー、ポリエチレンフラーノエート（ＰＥＦ）、同等物、またはそれらの組み合わせ）を含む。ある実施形態では、収集器部材は、プラスチック、ポリマー、またはそれらの組み合わせから構築され、処理されない場合であっても、有意な量の尿または糞便を留保しない。
【０１０３】
動物排泄物分離器部材は、尿および糞便の収集のために好適な１つ以上の材料から製造されてもよい。ある実施形態では、材料は、最小量の尿または糞便を留保するように、非多孔性である。動物排泄物分離器部材の製造のために利用され得る材料の非限定的実施例は、好適なプラスチックまたはポリマー（例えば、ポリプロピレン（ＰＰ）、高密度ポリエチレン（ＨＤＰＥ）、低密度ポリエチレン（ＬＤＰＥ）、ポリエチレンテレフタラート（ＰＥＴ）、ポリ塩化ビニル（ＰＶＣ）、ポリエチレンフルオロエチレン（ＰＥＦＥ）、ポリスチレン（ＰＳ）、ポリカーボネート（ＰＣ）、ポリスチレン（例えば、高密度ポリスチレン）、アクリルニトリルブタジエンスチレンコポリマー、ポリエチレンフラーノエート（ＰＥＦ）、同等物、またはそれらの組み合わせ）を含む。ある実施形態では、分離器部材は、プラスチック、ポリマー、またはそれらの組み合わせから構築され、処理されない場合であっても、有意な量の尿または糞便を留保しない。
【０１０４】
動物排泄物収集動物含有ケージの構成要素（例えば、ケージ蓋、ケージ基部、収集器部材、および分離器部材）は、多くの場合、使用のために組み立てられる別個のユニットとして製造される。
【０１０５】
ある実施形態では、動物排泄物収集動物含有ケージ（１０００）のある構成要素は、特定の順序で組み立てられる。収集器部材２０００が、収集器部材の肋材２９００および支持タブ２９１０が、ケージ基部底部開口部を囲繞するケージ基部底部の内面、すなわち、床棚部またはシェルフ１５５０上に静置するように、ケージ基部の内部に、部分的にケージ基部底部開口部１５００を通して挿入されることができる。分離器部材３０００が、次いで、分離器延在部材４０００の取付フランジ３６１０が収集器延在部材２７００の支持フランジ２７１０上に静置するように、収集器部材近位開口部を通して挿入されることができる。挿入部材６０００は、収集器部材の内面２５００上に着座されることができる。動物閉じ込め部材１８００および餌および水保持器１９１０（相互に取り付けられる）が、ワイヤバーフック１９５０を介してケージ基部に取り付けられることができ、挿入部材上に静置し、ケージ基部底部開口部にわたって位置付けられる閉じ込め部材床格子とともにケージ基部内部に懸下する。餌および水越流レセプタクル容器が、餌および水保持器の下に挿入されることができる。
（実施形態の実施例）
【０１０６】
以降で提供されるものは、本技術のある実施形態の非限定的実施例である。
Ａ１．動物排泄物収集動物含有ケージであって、
ケージ蓋と、
ケージ蓋に添着される、ケージ基部であって、
そのケージ基部は、１つ以上の側面と、１つ以上の側面に接続されるケージ基部底部と、格子部材とを備え、
そのケージ基部底部は、開口部を備え、
その格子部材は、ケージ基部底部開口部にわたって配置される部材を備える、
ケージ基部と、
ケージに接続される、動物排泄物収集器部材であって、
その収集器部材は、近位端と、遠位端と、近位開口部と、遠位開口部と、内面および外面を備える１つ以上の側壁とを備え、
その１つ以上の側壁の少なくとも一部およびそのうちの少なくとも１つは、収集器部材の近位開口部から遠位開口部までテーパ状になり、
収集器部材のその近位開口部は、ケージ基部底部開口部と整合される、
収集器部材と、
収集器部材に接続される、動物排泄物分離器部材であって、
その分離器部材は、糞便から尿を分離し、
その分離器部材は、近位開口部と、遠位開口部と、前部と、側面と、後部と、底部と、側面に接続される近位シュート部材と、側面に接続される遠位シュート部材と、底部に接続される第１の容器コネクタと、底部に接続される第２の容器コネクタとを備え、
その近位シュート部材は、近位末端と、分離器部材の後部と関連する遠位末端と、前面とを備え、
その遠位シュート部材は、近位末端と、遠位末端と、前面と、後面とを備え、
その遠位シュート部材は、近位シュート部材に接続されず、後部に接続されず、
遠位シュート部材のその近位末端は、近位シュート部材の遠位末端から垂直にオフセットされ、水平にオフセットされ、
その第１の容器コネクタは、遠位シュート部材と事実上接続し、分離器部材の底部において終端する第１のボア面を備え、
その第２の容器コネクタは、近位シュート部材と事実上接続し、分離器部材の底部において終端する第２のボア面を備え、
【０１０７】
第１の容器コネクタは、第２の容器コネクタの前方にある、
分離器部材と、
を備える、含有ケージ。
【０１０８】
Ａ２．    格子部材は、ワイヤバーを備える、実施形態Ａ１に記載の含有ケージ。
【０１０９】
Ａ２．１．    格子部材は、床格子部材である、実施形態Ａ２に記載の含有ケージ。
【０１１０】
Ａ３． 格子部材は、ケージ基部底部からほぼケージ基部の１つ以上の側面の高さに及ぶ、ワイヤバー格子側部材を備える、実施形態Ａ１またはＡ２に記載の含有ケージ。
【０１１１】
Ａ３．１．    格子部材は、ケージ基部底部からケージ基部の１つ以上の側面の高さの一部に及ぶ、ワイヤバー格子側部材を備える、実施形態Ａ１またはＡ２に記載の含有ケージ。
【０１１２】
Ａ３．２．    格子側部材は、ケージ基部底部からほぼケージ基部の４つの側面の高さに及び、格子とともに、動物閉じ込め部材を形成する、実施形態Ａ３に記載の含有ケージ。
【０１１３】
Ａ３．３．    床格子部材は、ケージ基部底部からケージ基部の３つの側面の高さの一部に及ぶ側格子部材と、ケージ基部底部からほぼケージ基部の側面の高さに及ぶ後部格子部材とを備え、側格子部材、後部格子部材、および床格子部材は、動物閉じ込め部材を形成する、実施形態Ａ２．１に記載の含有ケージ。
【０１１４】
Ａ３．４．    ケージ内に含有される動物は、動物閉じ込め部材によって、ケージ基部底部開口部を備えるケージの区分に閉じ込められる、実施形態Ａ３．２またはＡ３．３に記載の含有ケージ。
【０１１５】
Ａ３．５      付加的ワイヤバー部材を備える、実施形態Ａ２−Ａ３．４のいずれか１項に記載の含有ケージ。
【０１１６】
Ａ３．６．    付加的ワイヤバー部材は、餌ワイヤバー部材である、実施形態Ａ３．５に記載の含有ケージ。
【０１１７】
Ａ３．７．    付加的ワイヤバー部材は、水ワイヤバー部材である、実施形態Ａ３．５に記載の含有ケージ。
【０１１８】
Ａ３．８．    付加的ワイヤバー部材は、餌ワイヤバー部材および水ワイヤバー部材である、実施形態Ａ３．５に記載の含有ケージ。
【０１１９】
Ａ３．９．    餌ワイヤバー部材および水ワイヤバー部材は、取り付けられ、餌および水保持器を形成する、実施形態Ａ３．８に記載の含有ケージ。
【０１２０】
Ａ３．９．１  餌および水保持器は、動物閉じ込め部材に取り付けられる、実施形態Ａ３．９に記載の含有ケージ。
【０１２１】
Ａ３．１０．  越流レセプタクルを備える、実施形態Ａ３．９またはＡ３．９．１に記載の含有ケージ。
【０１２２】
Ａ３．１１．  餌ワイヤバー部材の下に越流レセプタクルを備え、水ワイヤバー部材の下に越流レセプタクルを備える、実施形態Ａ３．１０に記載の含有ケージ。
【０１２３】
Ａ３．１２．  基部の２つの平行な側面は、標準的ケージの基部の２つの同等の平行な側面を上回る長さを有する、実施形態Ａ１−Ａ３．１１のいずれか１項に記載の含有ケージ。
【０１２４】
Ａ３．１３．  動物排泄物収集器部材は、ケージに接続される、実施形態Ａ１−Ａ３．１２のいずれか１項に記載の含有ケージ。
【０１２５】
Ａ３．１４．  動物排泄物収集器部材は、ケージ底部の内部と接触する側フランジを備える、実施形態Ａ１−Ａ３．１２のいずれか１項に記載の含有ケージ。
【０１２６】
Ａ３．１５．  動物排泄物収集器部材は、ケージ基部底部開口部を囲繞するケージ底部床の内部部分と接触する肋材および支持タブを備える、実施形態Ａ１−Ａ３．１２のいずれか１項に記載の含有ケージ。
【０１２７】
Ａ３．１６．  肋材および支持タブは、ケージ底部床上の床棚部またはシェルフと接触する、実施形態Ａ３．１５に記載の含有ケージ。
【０１２８】
Ａ３．１７．  動物排泄物収集器部材は、ケージ基部底部の一体部品である、実施形態Ａ１−Ａ３．１２のいずれか１項に記載の含有ケージ。
【０１２９】
Ａ４． 動物排泄物収集器部材の近位開口部、遠位開口部、および側壁のうちの１つ以上のものは、錐台として配置される、実施形態Ａ１−Ａ３．１７のいずれか１項に記載の含有ケージ。
【０１３０】
Ａ５． 収集器部材の１つ以上の側壁は、水平軸に対して４０〜９０度の角度でテーパ状になる、実施形態Ａ１−Ａ４のいずれか１項に記載の含有ケージ。
【０１３１】
Ａ６． 側壁は、約５５度の角度でテーパ状になる、実施形態Ａ５に記載の含有ケージ。
【０１３２】
Ａ７． 収集器部材内面は、コーティングを備える、実施形態Ａ１−Ａ６のいずれか１項に記載の含有ケージ。
【０１３３】
Ａ８． コーティングは、疎水性コーティングである、実施形態Ａ７に記載の含有ケージ。
【０１３４】
Ａ９． 収集器部材と接触する挿入部材を備え、挿入部材は、近位開口部と、遠位開口部と、内面および外面を備える１つ以上の側壁とを備え、その１つ以上の側壁の少なくとも一部およびそのうちの少なくとも１つは、挿入部材の近位開口部から遠位開口部までテーパ状になる、実施形態Ａ１−Ａ８のいずれか１項に記載の含有ケージ。
【０１３５】
Ａ１０．      挿入部材の１つ以上の側壁のうちの少なくとも１つは、収集器部材の１つ以上の側壁よりも長く、挿入部材の近位領域における挿入部材の１つ以上の側壁のその外面の一部は、収集器部材の１つ以上の側壁の内面と接触し、挿入部材の遠位領域における挿入部材の１つ以上の側壁のその外面の一部は、収集器部材の１つ以上の側壁の内面と接触しない、実施形態Ａ９に記載の含有ケージ。
【０１３６】
Ａ１０．１．  挿入部材のその遠位開口部は、近位シュート部材に近接して配置され、近位シュート部材の前面と整合される、実施形態Ａ９またはＡ１０に記載の含有ケージ。
【０１３７】
Ａ１０．２．  近位シュート部材の前面との整合は、近位シュート領域の前面上の着地区域領域との整合である、実施形態Ａ１０．１に記載の含有ケージ。
【０１３８】
Ａ１０．３．  挿入部材の遠位端の近位シュート部材前面への近接は、約０．０１インチ〜約３．０インチである、実施形態Ａ１０．１またはＡ１０．２に記載の含有ケージ。
【０１３９】
Ａ１０．４．  挿入部材の遠位端の近位シュート部材前面への近接は、約０．１３インチである、実施形Ａ１０．３に記載の含有ケージ。
【０１４０】
Ａ１１．      挿入部材は、紙である、実施形態Ａ９−Ａ１０．４のいずれか１項に記載の含有ケージ。
【０１４１】
Ａ１２．      紙は、蝋紙である、実施形態Ａ１１に記載の含有ケージ。
【０１４２】
Ａ１３．      挿入部材は、化学的に処理される、実施形態Ａ９−Ａ１２のいずれか１項に記載の含有ケージ。
【０１４３】
Ａ１３．１．  化学処理は、着目分子と結合または反応する試薬を挿入部材に付着させるステップを含む、実施形態Ａ１３に記載の含有ケージ。
【０１４４】
Ａ１３．２．  収集器部材は、円錐形である遠位端を有し、円錐形収集器部材である、実施形態Ａ１−Ａ８のいずれか１項に記載の含有ケージ。
【０１４５】
Ａ１３．３．  動物排泄物円錐形収集器部材は、ケージに接続される、実施形態Ａ１３．２に記載の含有ケージ。
【０１４６】
Ａ１３．４．  動物排泄物円錐形収集器部材は、ケージ基部底部の一体部品である、実施形態Ａ１３．２に記載の含有ケージ。
【０１４７】
Ａ１４．      円錐形収集器部材の遠位開口部は、近位シュート部材前面に近接して配置され、近位シュート部材の前面と整合される、実施形態Ａ１３．２−Ａ１３．４のいずれか１項に記載の含有ケージ。
【０１４８】
Ａ１４．１．  近位シュート部材の前面との整合は、近位シュート領域の前面上の着地区域領域との整合である、実施形態Ａ１４に記載の含有ケージ。
【０１４９】
Ａ１４．２．  円錐形収集器部材の遠位端の近位シュート部材前面への近接は、約０．０１インチ〜約３．０インチである、実施形態Ａ１４またはＡ１４．１に記載の含有ケージ。
【０１５０】
Ａ１４．３．  円錐形収集器部材の遠位端の近位シュート部材前面への近接は、約０．１３インチである、実施形態Ａ１４．２に記載の含有ケージ。
【０１５１】
Ａ１５．      収集器部材は、遠位端において収集器延在部材を備える、実施形態Ａ１−Ａ１３．１のいずれか１項に記載の含有ケージ。
【０１５２】
Ａ１５．１．  分離器部材は、収集器延在部材に接続される、実施形態Ａ１５に記載の含有ケージ。
【０１５３】
Ａ１５．２．  分離器部材は、収集器延在部材の内部に接続される、実施形態Ａ１５に記載の含有ケージ。
【０１５４】
Ａ１５．３．  分離器部材は、円錐形収集器部材に接続される、実施形態Ａ１３．２−Ａ１４．３のいずれか１項に記載の含有ケージ。
【０１５５】
Ａ１６．      近位シュート部材は、近位末端から遠位末端に向かって軸方向に延在する第１および第２の傾斜面を備え、その遠位シュートは、近位末端から遠位末端に向かって軸方向に延在する第３の傾斜面を備え、その第１および／または第２の傾斜面は、第３の傾斜面の角度と異なる角度にある、実施形態Ａ１−Ａ１５．３のいずれか１項に記載の含有ケージ。
【０１５６】
Ａ１６．１．  近位シュート部材は、近位末端から遠位末端に向かって軸方向に延在する第１および第２の傾斜面を備え、その遠位シュートは、近位末端から遠位末端に向かって軸方向に延在する第３の傾斜面を備え、その第１および／または第２の傾斜面は、第３の傾斜面の角度と同一である角度にある、実施形態Ａ１−Ａ１５．３のいずれか１項に記載の含有ケージ。
【０１５７】
Ａ１７．      第１の傾斜面、第２の傾斜面、および第３の傾斜面は、約３５度〜約６５度の角度にある、実施形態Ａ１６またはＡ１６．１に記載の含有ケージ。
【０１５８】
Ａ１７．１．  第１の傾斜面、第２の傾斜面、および第３の傾斜面は、約３５度〜約７５度の角度にある、実施形態Ａ１６またはＡ１６．１に記載の含有ケージ。
【０１５９】
Ａ１７．２．  第１の傾斜面は、約４２度の角度にある、実施形態Ａ１６−Ａ１７．１のいずれか１項に記載の含有ケージ。
【０１６０】
Ａ１７．３．  第２の傾斜面は、約５５度の角度にある、実施形態Ａ１６−Ａ１７．１のいずれか１項に記載の含有ケージ。
【０１６１】
Ａ１７．４．  第３の傾斜面は、約４１度の角度にある、実施形態Ａ１６−Ａ１７．１のいずれか１項に記載の含有ケージ。
【０１６２】
Ａ１７．５．  第３の傾斜面は、約３９．３度の角度にある、実施形態Ａ１６−Ａ１７．１のいずれか１項に記載の含有ケージ。
【０１６３】
Ａ１７．６．  近位シュート部材の前面は、湾曲面を備える、実施形態Ａ１−Ａ１７．５のいずれか１項に記載の含有ケージ。
【０１６４】
Ａ１８．      近位シュート部材は、近位末端から遠位末端に向かって軸方向に延在する第１の傾斜面を備え、その遠位シュートは、近位末端から遠位末端に向かって軸方向に延在する第２の傾斜面を備え、その第１の傾斜面は、第２の傾斜面の角度と異なる角度にある、実施形態Ａ１−Ａ１５．３のいずれか１項に記載の含有ケージ。
【０１６５】
Ａ１８．１．  近位シュート部材は、近位末端から遠位末端に向かって軸方向に延在する第１の傾斜面を備え、その遠位シュートは、近位末端から遠位末端に向かって軸方向に延在する第２の傾斜面を備え、その第１の傾斜面は、第２の傾斜面の角度と同一である角度にある、実施形態Ａ１−Ａ１５．３のいずれか１項に記載の含有ケージ。
【０１６６】
Ａ１８．２．  第１の傾斜面および第２の傾斜面は、約３５度〜約６５度の角度にある、実施形態Ａ１８またはＡ１８．１に記載の含有ケージ。
【０１６７】
Ａ１８．３．  第１の傾斜面および第２の傾斜面は、約３５度〜約７５度の角度にある、実施形態Ａ１８またはＡ１８．１に記載の含有ケージ。
【０１６８】
Ａ１８．４．  第１の傾斜面は、約５５度の角度にある、実施形態Ａ１８−Ａ１８．３のいずれか１項に記載の含有ケージ。
【０１６９】
Ａ１８．５．  第２の傾斜面は、約３９．３度の角度にある、実施形態Ａ１８−Ａ１８．３のいずれか１項に記載の含有ケージ。
【０１７０】
Ａ１８．６．  近位シュート部材の前面は、湾曲面を備える、実施形態Ａ１８−Ａ１８．５のいずれか１項に記載の含有ケージ。
【０１７１】
Ａ１９．      遠位シュート部材の近位末端は、近位シュート部材の遠位末端から約０．２５インチ〜約１．００インチ垂直にオフセットされる、実施形態Ａ１−Ａ１８．６のいずれか１項に記載の含有ケージ。
【０１７２】
Ａ１９．１．  遠位シュート部材の近位末端は、近位シュート部材の遠位末端から約０．６２インチ垂直にオフセットされる、実施形態Ａ１９に記載の含有ケージ。
【０１７３】
Ａ２０．      遠位シュート部材の近位末端は、近位シュート部材の遠位末端から水平にオフセットされ、約０．１５インチ〜約０．２５インチの間隙をもたらす、実施形態Ａ１−Ａ１９．１のいずれか１項に記載の含有ケージ。
【０１７４】
Ａ２０．１．  遠位シュート部材の近位末端は、近位シュート部材の遠位末端から水平にオフセットされ、約０．１０インチ〜約０．２５インチの間隙をもたらす、実施形態Ａ１−Ａ１９．１のいずれか１項に記載の含有ケージ。
【０１７５】
Ａ２０．２．  間隙は、約０．２０インチである、実施形態Ａ２０またはＡ２０．１に記載の含有ケージ。
【０１７６】
Ａ２１．      遠位シュートは、分離器部材の側面のそれぞれの前面および内面に接続される側壁を備える、実施形態Ａ１−Ａ２０．２のいずれか１項に記載の含有ケージ。
【０１７７】
Ａ２２．      近位シュート部材および遠位シュート部材は、化学的に処理される表面を備える、実施形態Ａ１−Ａ２１のいずれか１項に記載の含有ケージ。
【０１７８】
Ａ２２．１．  近位シュートの遠位末端は、近位シュートと遠位シュートとの間に位置付けられる分離器部材の内部後壁面と事実上接続する、実施形態Ａ１−Ａ２２のいずれか１項に記載の含有ケージ。
【０１７９】
Ａ２２．２．  内部後壁面は、尿の流動を促進するように構成される、実施形態Ａ２２．１に記載の含有ケージ。
【０１８０】
Ａ２３．      分離器部材は、閉鎖され、コネクタ部材延在部に接続される付加的壁部材を備える、実施形態Ａ１−Ａ２２．２のいずれか１項に記載の含有ケージ。
【０１８１】
Ａ２３．１．  分離器部材は、キャップを備える閉鎖ユニットであり、分離器部材は、コネクタ部材延在部の内部に取り付けられる、実施形態Ａ１−Ａ２２．２のいずれか１項に記載の含有ケージ。
【０１８２】
Ａ２３．２．  分離器部材は、分離器部材延在部材を備え、分離器部材延在部材は、コネクタ部材延在部の内部に取り付けられる、実施形態Ａ１−Ａ２３．１のいずれか１項に記載の含有ケージ。
【０１８３】
Ａ２４．      第１の容器が、第１の容器コネクタに解放可能に取り付けられ、第２の容器が、第２の容器コネクタに解放可能に取り付けられる、実施形態Ａ１−Ａ２３．２のいずれか１項に記載の含有ケージ。
【０１８４】
Ａ２４．１    第２の容器コネクタは、漏斗フランジと、漏斗開口とを備える、実施形態Ａ１−Ａ２４のいずれか１項に記載の含有ケージ。
【０１８５】
Ａ２５．      第１の容器は、糞便の収集のためのものであり、第２の容器は、尿の収集のためのものである、実施形態Ａ２４またはＡ２４．１に記載の含有ケージ。
【０１８６】
Ａ２６．      第１の容器および第２の容器は、プラスチック管を備える、実施形態Ａ２４−Ａ２５のいずれか１項に記載の含有ケージ。
【０１８７】
Ａ２７．      含有ケージは、使い捨てである、実施形態Ａ１−Ａ２６のいずれか１項に記載の含有ケージ。
【０１８８】
Ａ２７．１．  含有ケージは、単回使用のためのものである、実施形態Ａ２７に記載の含有ケージ。
【０１８９】
Ａ２８．      ケージは、ラック内に配置される、実施形態Ａ１−Ａ２７．１のいずれか１項に記載の含有ケージ。
【０１９０】
Ａ２９．      ラックは、ケージ搭載アセンブリを備え、ケージは、ケージ搭載アセンブリと係合される、実施形態Ａ２８に記載の含有ケージ。
【０１９１】
Ａ３０．      ケージは、ケージ突出部を備え、ラックは、ケージコネクタアセンブリを備え、各ケージ突出部は、ケージコネクタアセンブリと係合される、実施形態Ａ２９に記載の含有ケージ。
【０１９２】
Ａ３０．１．  ケージ突出部は、オリフィスを有していない、実施形態Ａ３０に記載の含有ケージ。
【０１９３】
Ａ３０．２    ケージ突出部は、オリフィスを有する、実施形態Ａ３０に記載の含有ケージ。
【０１９４】
Ａ３１．      ラックは、正の空気圧および／または負の空気圧をケージに提供する、実施形態Ａ２８−Ａ３９およびＡ３０．２のいずれか１項に記載の含有ケージ。
【０１９５】
Ａ３２．      ラックは、正の空気圧および／または負の空気圧をケージに提供しない、実施形態Ａ２８−Ａ３０．１のいずれか１項に記載の含有ケージ。
【０１９６】
Ａ３３．      動物格納のための標準的ケージが、含有ケージを備えるラック内に配置される、実施形態Ａ２８−Ａ３２のいずれか１項に記載の含有ケージ。
【０１９７】
Ａ３４．      ケージ蓋は、フィルタ部材を備える、実施形態Ａ１−Ａ３３のいずれか１項に記載の含有ケージ。
【０１９８】
Ａ３４．１．  ラックは、正の空気圧をケージに提供する、実施形態Ａ３１に記載の含有ケージ。
【０１９９】
Ａ３５．      ラックは、負の空気圧をケージに提供する、実施形態Ａ３１に記載の含有ケージ。
【０２００】
Ａ３６．      ケージは、ＢＳＬ  ２＋施設内にある、実施形態Ａ３５に記載の含有ケージ。
【０２０１】
Ａ３７．      含有ケージは、ラック内にない、実施形態Ａ１−Ａ２７．１のいずれか１項に記載の含有ケージ。
【０２０２】
Ａ３７．１．  含有ケージは、スタンドを備える、実施形態Ａ３７に記載の含有ケージ。
【０２０３】
Ｂ１． 入れ子動物排泄物収集動物含有ケージ基部のセット。
【０２０４】
Ｂ１．１．    基部は、収集器部材に取り付けられる、実施形態Ｂ１に記載の入れ子動物排泄物収集動物含有ケージ基部のセット。
【０２０５】
Ｂ１．２．    基部は、円錐形収集器部材に取り付けられる、実施形態Ｂ１に記載の入れ子動物排泄物収集動物含有ケージ基部のセット。
【０２０６】
Ｂ２． 入れ子動物排泄物収集動物含有ケージカバーのセット。
【０２０７】
Ｂ３． 入れ子動物排泄物収集動物含有ケージ収集器部材のセット。
【０２０８】
Ｂ４． 入れ子動物排泄物収集動物含有ケージ円錐形収集器部材のセット。
【０２０９】
Ｂ５． 入れ子動物排泄物収集動物含有ケージ挿入部材のセット。
【０２１０】
Ｂ６． 入れ子動物排泄物収集動物含有ケージ閉じ込め部材のセット。
【０２１１】
Ｂ７． 入れ子動物排泄物収集動物含有ケージ餌および水保持器部材のセット。
【０２１２】
Ｂ８． 入れ子動物排泄物収集動物含有ケージ餌および水越流レセプタクルのセット。
Ｃ１． １匹または複数の動物からの尿および／または糞便を収集および分離するための方法であって、
実施形態Ａ１−Ａ３７．１のいずれか１項に記載の動物排泄物収集動物含有ケージ内に１匹または複数の動物を設置するステップと、
【０２１３】
第１の容器内で尿を取得し、第２の容器内で糞便を取得するステップと、
を含む、方法。
Ｄ１． 実施形態Ａ１−Ａ２７．１のいずれか１項に記載の動物排泄物収集動物含有ケージを組み立てるための方法であって、
【０２１４】
収集器部材をケージ基部の内部に、部分的にケージ基部底部開口部を通して挿入するステップであって、それによって、収集器部材の肋材および支持タブが、ケージ基部底部の床棚部上に静置する、ステップと、
分離器部材を収集器部材近位開口部を通して挿入するステップであって、それによって、分離器延在部材の取付フランジは、収集器延在部材の支持フランジ上に静置する、ステップと、
挿入部材を収集器部材の内面上に設置するステップと、  動物閉じ込め部材および餌および水保持器をケージ基部に取り付け、随意に、餌および水保持器の下に餌および水越流レセプタクル容器を挿入するステップと、
を含む、方法。
【０２１５】
本明細書に参照される各特許、特許出願、公開、および文書の全体は、参照することによって本明細書に組み込まれる。上記の特許、特許出願、公開、および文書の引用は、前述のうちのいずれかが関連する従来技術であることを承認するわけではなく、また、これらの刊行物または文書の内容または日付に関するいずれの承認も構成しない。
【０２１６】
修正が、本技術の基本的側面から逸脱することなく前述に成されてもよい。本技術は、１つ以上の具体的実施形態を参照して実質的に詳細に説明されたが、当業者は、変更が本願に具体的に開示される実施形態に成され得るが、これらの修正および改良は本技術の範囲および精神内であることを認識するであろう。
【０２１７】
本明細書に例証的に説明される技術は、好適に、本明細書に具体的に開示されない任意の要素の不在下で実践されてもよい。したがって、例えば、本明細書における各事例では、用語「〜を備える」、「〜から本質的に成る」、および「〜から成る」のうちのいずれかは、他の２つの用語のうちのいずれかと置換されてもよい。採用されている用語および表現は、限定ではなく、説明の用語として使用され、そのような用語および表現の使用は、示され、説明される特徴の任意の均等物またはそれらの一部を除外せず、種々の修正が、請求される技術の範囲内で可能である。用語「ａ」または「ａｎ」は、要素のうちのいずれか１つまたは要素のうちの１つを上回るものが説明されていることが文脈上明確ではない限り、これが修飾する要素のうちの１つまたは複数の要素を指すことができる（例えば、「試薬（ａ  ｒｅａｇｅｎｔ））」は、１つ以上の試薬を意味することができる）。本明細書で使用されるような用語「約」は、基本的パラメータの１０％（すなわち、±１０％）以内の値を指し、一連の値の始めにおける用語「約」の使用は、値のそれぞれを修飾する（すなわち、「約１、２、および３」は、約１、約２、および約３を指す）。例えば、「約１００グラム」の重量は、９０グラム〜１１０グラムの重量を含むことができる。さらに、値の列挙が本明細書に説明されるとき（例えば、約５０％、６０％、７０％、８０％、８５％、または８６％）、列挙は、それらの全ての中間値および小数値（例えば、５４％、８５．４％）を含む。したがって、本技術は、代表的実施形態および随意の特徴によって具体的に開示されたが、本明細書に開示される概念の修正および変形例が、当業者によって用いられ得、そのような修正および変形例は、本技術の範囲内であると見なされることを理解されたい。
【０２１８】
本技術のある実施形態が、続く請求項に記載される。
【図１】
2019533479.tif 000009
【図２】
2019533479.tif 000010
【図３Ａ】
2019533479.tif 000011
【図３Ｂ】
2019533479.tif 000012
【図４】
2019533479.tif 000013
【図５】
2019533479.tif 000014
【図６Ａ】
2019533479.tif 000015
【図６Ｂ】
2019533479.tif 000016
【図７Ａ】
2019533479.tif 000017
【図７Ｂ】
2019533479.tif 000018
【図７Ｃ】
2019533479.tif 000019
【図８】
2019533479.tif 000020
【図９Ａ】
2019533479.tif 000021
【図９Ｂ】
2019533479.tif 000022
【図１０Ａ】
2019533479.tif 000023
【図１０Ｂ】
2019533479.tif 000024
【図１１Ａ】
2019533479.tif 000025
【図１１Ｂ】
2019533479.tif 000026
【図１１Ｃ】
2019533479.tif 000027
【図１１Ｄ】
2019533479.tif 000028
【図１２Ａ】
2019533479.tif 000029
【図１２Ｂ】
2019533479.tif 000030
【図１３】
2019533479.tif 000031
【図１４Ａ】
2019533479.tif 000032
【図１４Ｂ】
2019533479.tif 000033
【図１５Ａ】
2019533479.tif 000034
【図１５Ｂ】
2019533479.tif 000035
【図１６】
2019533479.tif 000036
【図１７】
2019533479.tif 000037
【図１８】
2019533479.tif 000038
【図１９】
2019533479.tif 000039
【図２０】
2019533479.tif 000040
【図２１Ａ】
2019533479.tif 000041
【図２１Ｂ】
2019533479.tif 000042
【図２２】
2019533479.tif 000043
【図２３】
2019533479.tif 000044
【図２４Ａ】
2019533479.tif 000045
【図２４Ｂ】
2019533479.tif 000046
【図２５Ａ】
2019533479.tif 000047
【図２５Ｂ】
2019533479.tif 000048
【図２５Ｃ】
2019533479.tif 000049
【図２６】
2019533479.tif 000050
【図２７Ａ】
2019533479.tif 000051
【図２７Ｂ】
2019533479.tif 000052
【図２８Ａ】
2019533479.tif 000053
【図２８Ｂ】
2019533479.tif 000054
【図２９Ａ】
2019533479.tif 000055
【図２９Ｂ】
2019533479.tif 000056
【図２９Ｃ】
2019533479.tif 000057
【図２９Ｄ】
2019533479.tif 000058
【図３０Ａ】
2019533479.tif 000059
【図３０Ｂ】
2019533479.tif 000060
【図３１Ａ】
2019533479.tif 000061
【図３１Ｂ】
2019533479.tif 000062
【図３２Ａ】
2019533479.tif 000063
【図３２Ｂ】
2019533479.tif 000064
【図３３Ａ】
2019533479.tif 000065
【図３３Ｂ】
2019533479.tif 000066
【図３４】
2019533479.tif 000067
【図３５Ａ】
2019533479.tif 000068
【図３５Ｂ】
2019533479.tif 000069
【図３６Ａ】
2019533479.tif 000070
【図３６Ｂ】
2019533479.tif 000071
【図３７Ａ】
2019533479.tif 000072
【図３７Ｂ】
2019533479.tif 000073
【図３８Ａ】
2019533479.tif 000074
【図３８Ｂ】
2019533479.tif 000075
【図３９Ａ】
2019533479.tif 000076
【図３９Ｂ】
2019533479.tif 000077
【図４０】
2019533479.tif 000078
【国際調査報告】
2019533479.tif 000079
2019533479.tif 000080
2019533479.tif 000081